(57)【要約】      （修正有）【課題】有線バックホール通信を介して近隣ノードから過負荷インジケーションメッセージを受信できない場合でも送信電力制御する技術を提供する。【解決手段】近隣ノード（単数または複数）における干渉レベルを低減するために、過負荷インジケーションのオーバ・ザ・エア（ＯＴＡ）ブロードキャストを実施する。方法は、近隣ノードから、過負荷インジケーションのＯＴＡブロードキャストを受信することを含む。この方法はさらに、（例えば、送信電力スペクトル密度を調節することによって、）近隣ノードにおける干渉オーバ・サーマル（ＩｏＴ）雑音を低減するために、受信した過負荷インジケーションに基づいて送信電力制御を実行することを含む。このような方法は、例えば、アクセス端末または小規模なベース・ノードによって実行されうる。【選択図】図１
2014030208.tif 000002
【特許請求の範囲】
【請求項１】
アップリンク送信電力制御を実行する方法であって、
近隣ノードから、過負荷インジケーションのオーバ・ザ・エア・ブロードキャストを受信することと、
前記近隣ノードにおける干渉レベルを低減するために、前記受信した過負荷インジケーションに基づいて、送信電力制御を実行することと、
を備える方法。
【請求項２】
前記送信電力制御を実行することは、送信電力スペクトル密度を調節することを備える、請求項１に記載の方法。
【請求項３】
前記干渉レベルは、干渉オーバ・サーマル（ＩｏＴ）雑音を備える、請求項１に記載の方法。
【請求項４】
前記近隣ノードから、物理ブロードキャスト・チャネル（ＰＢＣＨ）で受信した前記過負荷インジケーションを検出することをさらに備える、請求項１に記載の方法。
【請求項５】
短縮されたＰＢＣＨのミッドアンブルにおいて、６つのリソース・ブロック内の中央の２つのリソース・ブロックを受信することをさらに備える、請求項４に記載の方法。
【請求項６】
前記過負荷インジケーションを、前記ＰＢＣＨによって伝送されたビットとして検出することをさらに備える、請求項４に記載の方法。
【請求項７】
前記過負荷インジケーションに基づいて、ＰＢＣＨ巡回冗長検査（ＣＲＣ）をマスクすることをさらに備える、請求項４に記載の方法。
【請求項８】
前記過負荷インジケーションに基づいて、前記ＰＢＣＨをスクランブルすることをさらに備える、請求項４に記載の方法。
【請求項９】
前記ＰＢＣＨによって伝送されたサブ帯域毎のビットとして、前記過負荷インジケーションを検出することをさらに備える、請求項４に記載の方法。
【請求項１０】
物理ハイブリッド自動反復要求インジケータ・チャネル（ＰＨＩＣＨ）で受信した前記過負荷インジケーションを検出することをさらに備える、請求項１に記載の方法。
【請求項１１】
前記過負荷インジケーションを伝送するために、セル毎にＰＨＩＣＨリソースを確保することをさらに備える、請求項１０に記載の方法。
【請求項１２】
規定された信号対雑音比ペネトレーションを達成するために、複数の近隣ノードにわたって直交しているＰＨＩＣＨでＰＨＩＣＨリソースを受信することをさらに備える、請求項１１に記載の方法。
【請求項１３】
前記過負荷インジケーションを検出するために、複数のＰＨＩＣＨリソースを結合することをさらに備える、請求項１１に記載の方法。
【請求項１４】
前記近隣ノードによって使用される帯域幅の中央部分を受信することをさらに備える、請求項１１に記載の方法。
【請求項１５】
前記近隣ノードのセル識別子に応じているウォルシュ符号として、前記過負荷インジケーションを検出することをさらに備える、請求項１１に記載の方法。
【請求項１６】
前記ＰＨＩＣＨは、複数の近隣ノードからの異なる時間スロットにおいて時分割多重化（ＴＤＭ）変調される、請求項１１に記載の方法。
【請求項１７】
前記ＰＨＩＣＨは、複数の近隣ノードからの異なる周波数リソースにおいて周波数分割多重化（ＦＤＭ）変調される、請求項１１に記載の方法。
【請求項１８】
前記ＰＨＩＣＨは、複数の近隣ノードからの異なるウォルシュ符号で符号分割多重化（ＣＤＭ）変調される、請求項１１に記載の方法。
【請求項１９】
前記過負荷インジケーションに割り当てられた複数のＰＨＩＣＨリソースを受信することによって前記ＰＨＩＣＨを受信することと、
前記過負荷インジケーションを検出する前に、複数のＰＨＩＣＨリソースのログ尤度比を結合することと
をさらに備える、請求項１１に記載の方法。
【請求項２０】
干渉除去とともに復号することにより、前記ＰＨＩＣＨを受信することをさらに備える、請求項１１に記載の方法。
【請求項２１】
前記受信することは、アクセス端末において前記過負荷インジケーションを受信することを備える、請求項１に記載の方法。
【請求項２２】
前記受信することは、フェムト・アクセス・ポイント、ホーム・ベース・ノード、およびクローズド加入者セルのうちの選択された１つを備える、小規模なベース・ノードにおいて、前記過負荷インジケーションを受信することを備える、請求項１に記載の方法。
【請求項２３】
前記実行することは、前記近隣ノードにおける干渉レベルを低減するために、前記小規模なベース・ノードの有効通信範囲エリア内のアクセス端末に対して、前記受信した過負荷インジケーションに基づいて、送信電力スペクトル密度を調節するように指示することを備える、請求項２２に記載の方法。
【請求項２４】
コンピュータ・プログラム製品であって、
近隣ノードから、過負荷インジケーションのオーバ・ザ・エア・ブロードキャストを受信し、
前記近隣ノードにおける干渉レベルを低減するために、前記受信した過負荷インジケーションに基づいて、送信電力制御を実行する、
のためのコードを有するコンピュータ読取可能媒体を備える、コンピュータ・プログラム製品。
【請求項２５】
前記コンピュータ読取可能媒体はさらに、送信電力スペクトル密度を調節するためのコードを有する、請求項２４に記載のコンピュータ・プログラム製品。
【請求項２６】
前記干渉レベルは、干渉オーバ・サーマル（ＩｏＴ）雑音を備える、請求項２４に記載のコンピュータ・プログラム製品。
【請求項２７】
前記コンピュータ読取可能媒体はさらに、前記近隣ノードから、物理ブロードキャスト・チャネル（ＰＢＣＨ）で受信した前記過負荷インジケーションを検出するためのコードを有する、請求項２４に記載のコンピュータ・プログラム製品。
【請求項２８】
前記コンピュータ読取可能媒体はさらに、物理ハイブリッド自動反復要求インジケータ・チャネル（ＰＨＩＣＨ）で受信した前記過負荷インジケーションを検出するためのコードを有する、請求項２４に記載のコンピュータ・プログラム製品。
【請求項２９】
アップリンク送信電力制御を実行するための装置であって、
近隣ノードから、過負荷インジケーションのオーバ・ザ・エア・ブロードキャストを受信し、
前記近隣ノードにおける干渉レベルを低減するために、前記受信した過負荷インジケーションに基づいて、送信電力制御を実行する、
ように構成された少なくとも１つのプロセッサを備える、装置。
【請求項３０】
前記少なくとも１つのプロセッサは、送信電力スペクトル密度を調節することにより、前記送信電力制御を実行する、請求項２９に記載の装置。
【請求項３１】
前記干渉レベルは、干渉オーバ・サーマル（ＩｏＴ）雑音を備える、請求項２９に記載の装置。
【請求項３２】
前記少なくとも１つのプロセッサは、前記近隣ノードから、物理ブロードキャスト・チャネル（ＰＢＣＨ）で受信した前記過負荷インジケーションを検出する、請求項２９に記載の装置。
【請求項３３】
前記少なくとも１つのプロセッサは、物理ハイブリッド自動反復要求インジケータ・チャネル（ＰＨＩＣＨ）で受信した前記過負荷インジケーションを検出する、請求項２９に記載の装置。
【請求項３４】
アップリンク送信電力制御を実行するための装置であって、
近隣ノードから、過負荷インジケーションのオーバ・ザ・エア・ブロードキャストを受信する手段と、
前記近隣ノードにおける干渉レベルを低減するために、前記受信した過負荷インジケーションに基づいて、送信電力制御を実行する手段と、
を備える装置。
【請求項３５】
送信電力スペクトル密度を調節する手段をさらに備える、請求項３４に記載の装置。
【請求項３６】
前記干渉レベルは、干渉オーバ・サーマル（ＩｏＴ）雑音を備える、請求項３４に記載の装置。
【請求項３７】
前記近隣ノードから、物理ブロードキャスト・チャネル（ＰＢＣＨ）で受信した前記過負荷インジケーションを検出する手段をさらに備える、請求項３４に記載の装置。
【請求項３８】
物理ハイブリッド自動反復要求インジケータ・チャネル（ＰＨＩＣＨ）で受信した前記過負荷インジケーションを検出する手段をさらに備える、請求項３４に記載の装置。
【請求項３９】
過負荷インジケーションをブロードキャストするための方法であって、
アップリンクにおける干渉レベルが、しきい値を越えていることを判定することと、
前記過負荷インジケーションに基づいて近隣受信者が送信電力制御を実行するために、前記過負荷インジケーションのオーバ・ザ・エア・ブロードキャストを送信することと、
を備える方法。
【請求項４０】
前記干渉レベルは、干渉オーバ・サーマル（ＩｏＴ）雑音を備える、請求項３９に記載の方法。
【請求項４１】
前記送信することは、物理ブロードキャスト・チャネル（ＰＢＣＨ）で前記過負荷インジケーションを送信することを備える、請求項３９に記載の方法。
【請求項４２】
短縮されたＰＢＣＨのミッドアンブルにおいて、６つのリソース・ブロックの中央の２つのリソース・ブロックを送信することをさらに備える、請求項４１に記載の方法。
【請求項４３】
前記ＰＢＣＨによって伝送されるビットとして前記過負荷インジケーションを送信することをさらに備える、請求項４１に記載の方法。
【請求項４４】
前記送信することは、物理ハイブリッド自動反復要求インジケータ・チャネル（ＰＨＩＣＨ）で前記過負荷インジケーションを送信することを備える、請求項３９に記載の方法。
【請求項４５】
規定された信号対雑音比ペネトレーションを達成するために、複数の近隣ノードにわたって直交しているＰＨＩＣＨでＰＨＩＣＨリソースを送信することをさらに備える、請求項４４に記載の方法。
【請求項４６】
複数のＰＨＩＣＨにわたって前記過負荷インジケーションを配信することをさらに備える、請求項４４に記載の方法。
【請求項４７】
受信者による受信のために使用されている帯域幅の中央部分で、前記過負荷インジケーションを送信することをさらに備える、請求項４４に記載の方法。
【請求項４８】
前記過負荷インジケーションをセル識別子に応じたウォルシュ符号として送信することをさらに備える、請求項４４に記載の方法。
【請求項４９】
前記ＰＨＩＣＨは、複数の近隣ノードからの異なる時間スロットにおいて時分割多重化（ＴＤＭ）変調される、請求項４４に記載の方法。
【請求項５０】
前記ＰＨＩＣＨは、複数の近隣ノードからの異なる周波数リソースにおいて周波数分割多重化（ＦＤＭ）変調される、請求項４４に記載の方法。
【請求項５１】
前記ＰＨＩＣＨは、複数の近隣ノードからの異なるウォルシュ符号で符号分割多重化（ＣＤＭ）変調される、請求項４４に記載の方法。
【請求項５２】
過負荷インジケーションをブロードキャストするためのコンピュータ・プログラム製品であって、
アップリンクにおける干渉レベルが、しきい値を越えていることを判定することと、
前記過負荷インジケーションに基づいて近隣受信者が送信電力制御を実行するために、前記過負荷インジケーションのオーバ・ザ・エア・ブロードキャストを送信することと、
のためのコードを有するコンピュータ読取可能媒体を備える、コンピュータ・プログラム製品。
【請求項５３】
前記干渉レベルは、干渉オーバ・サーマル（ＩｏＴ）雑音を備える、請求項５２に記載のコンピュータ・プログラム製品。
【請求項５４】
前記コンピュータ読取可能媒体はさらに、物理ブロードキャスト・チャネル（ＰＢＣＨ）で前記過負荷インジケーションを送信するためのコードを有する、請求項５２に記載のコンピュータ・プログラム製品。
【請求項５５】
前記コンピュータ読取可能媒体はさらに、物理ハイブリッド自動反復要求インジケータ・チャネル（ＰＨＩＣＨ）で、前記過負荷インジケーションを送信するためのコードを有する、請求項５２に記載のコンピュータ・プログラム製品。
【請求項５６】
過負荷インジケーションをブロードキャストする装置であって、
アップリンク上の干渉レベルが、しきい値を越えていると判定し、
前記過負荷インジケーションに基づいて近隣受信者が送信電力制御を実行するために、前記過負荷インジケーションのオーバ・ザ・エア・ブロードキャストを送信する、
ように構成された少なくとも１つのプロセッサを備える、装置。
【請求項５７】
前記干渉レベルは、干渉オーバ・サーマル（ＩｏＴ）雑音を備える、請求項５６に記載の装置。
【請求項５８】
前記少なくとも１つのプロセッサは、送信機に対して、物理ブロードキャスト・チャネル（ＰＢＣＨ）で前記過負荷インジケーションを送信するように指示する、請求項５６に記載の装置。
【請求項５９】
前記少なくとも１つのプロセッサは、送信機に対して、物理ハイブリッド自動反復要求インジケータ・チャネル（ＰＨＩＣＨ）で前記過負荷インジケーションを送信するように指示する、請求項５６に記載の装置。
【請求項６０】
過負荷インジケーションをブロードキャストする装置であって、
アップリンクにおける干渉レベルが、しきい値を越えていることを判定する手段と、
前記過負荷インジケーションに基づいて近隣受信者が送信電力制御を実行するために、前記過負荷インジケーションのオーバ・ザ・エア・ブロードキャストを送信する手段と、
を備える装置。
【請求項６１】
前記干渉レベルは、干渉オーバ・サーマル（ＩｏＴ）雑音を備える、請求項６０に記載の装置。
【請求項６２】
物理ブロードキャスト・チャネル（ＰＢＣＨ）で前記過負荷インジケーションを送信する手段をさらに備える、請求項６０に記載の装置。
【請求項６３】
物理ハイブリッド自動反復要求インジケータ・チャネル（ＰＨＩＣＨ）で前記過負荷インジケーションを送信する手段をさらに備える、請求項６０に記載の装置。
【発明の詳細な説明】
【関連出願】
【０００１】
本特許出願は、本明細書の譲受人に譲渡され本明細書に参照によって明確に組み込まれた「ブロードキャスト・シグナリングＬ１過負荷インジケーション」（BROADCAST SIGNALING L1 OVERLOAD INDICATION）と題された２００９年７月１４日出願の仮出願番号６１／２２５，４８４に対する優先権を主張する。
【技術分野】
【０００２】
本開示は、一般に、通信に関し、さらに詳しくは、ノード・バックホール通信を持たないヘテロジニアスな無線通信ネットワークにおける干渉オーバ・サーマル（ＩｏＴ）雑音制御のために技術に関する。
【背景技術】
【０００３】
第３世代パートナシップ計画ロング・ターム・イボリューション（ＬＴＥ）は、セルラ技術における主要な進歩を呈しており、グローバル移動体通信システム（ＧＳＭ（登録商標））およびユニバーサル・モバイル・テレコミュニケーション・システム（ＵＭＴＳ）の自然発展形として、セルラ３Ｇサービスにおいて先行する次のステップである。いくつかの事例において、（３ＧＰＰの）リリース８と称されるＬＴＥは、最大で毎秒５０メガ・ビット（Ｍｂｐｓ）のアップリンク速度と、最大で１００Ｍｂｐｓのダウンリンク速度とを提供し、セルラ・ネットワークに対して多くの技術的な利点をもたらす。ＬＴＥは、高速なデータおよびメディア伝送のみならず、高いキャパシティの音声サポートに対するキャリア・ニーズを満足するように設計されている。帯域幅は、１．２５ＭＨｚから２０ＭＨｚまでスケール可能である。これは、異なる帯域幅割当を有する異なるネットワーク・オペレータのニーズに適合し、また、オペレータが、スペクトルに基づいて異なるサービスを提供することを可能にする。ＬＴＥはまた、３Ｇネットワークにおけるスペクトル効率を高め、もって、キャリアが、与えられた帯域幅で、より多くのデータ・サービスおよび音声サービスを提供することを可能にすることが期待されている。ＬＴＥは、高速データ・サービス、マルチメディア・ユニキャスト・サービス、およびマルチメディア・ブロードキャスト・サービスを含む。
【０００４】
ＬＴＥ物理レイヤ（ＰＨＹ）は、イボルブド・ノードＢ（ｅＮＢ）よびモバイル・アクセス端末（ＡＴ）またはユーザ機器（ＵＥ）の間で、データと制御情報との両方を伝送する非常に効率的な手段である。ＬＴＥ  ＰＨＹは、セルラ・アプリケーションに新しい、いくつかの先進技術を使用する。これらは、直交周波数分割多重化（ＯＦＤＭ）および複数入力複数出力（ＭＩＭＯ）データ送信を含んでいる。さらに、ＬＴＥ  ＰＨＹは、ダウンリンク（ＤＬ）において直交周波数分割多元接続（ＯＦＤＭＡ）を用い、アップリンク（ＵＬ）においてシングル・キャリア周波数分割多元接続（ＳＣ−ＦＤＭＡ）を用いる。ＯＦＤＭＡによって、データが、指定された数のシンボル期間にわたって、サブキャリア毎ベースで、複数のユーザとの間で送られるようになる。
【０００５】
過負荷インジケーションは、１つの態様のＬＴＥであり、ここで、ｅＮＢは、アップリンク干渉オーバ・サーマル（ＩｏＴ）雑音を測定する。ＩｏＴ雑音が、あるしきい値を上回る場合、過負荷インジケーション・メッセージが、有線バックホール・ネットワーク（例えば、Ｘ２インタフェース等）を介して近隣セルのｅＮＢに送信されるイベントがトリガされる。しかしながら、（例えば、バックホール・ネットワークがダウンしている場合、）所与のノードまたは端末が、このような過負荷インジケーション・メッセージを、有線バックホール・ネットワークを介して近隣ノードから受信できない事例が発生しうる。したがって、バックホール・ネットワーク状態と独立した方式で、過負荷インジケーション・メッセージを配信し、これによって、近隣ノードにおいて、干渉レベル（例えば、ＩｏＴ雑音）の低減を容易にすることが望ましいであろう。
【発明の概要】
【０００６】
１または複数の態様および対応する開示によれば、さまざまな態様が、少なくとも１つのノードまたは端末が、有線バックホール通信を介して近隣ノードから過負荷インジケーション・メッセージを受信できないネットワークのための送信電力制御の一部として、干渉オーバ・サーマル（ＩｏＴ）雑音制御のための過負荷インジケーションのブロードキャストに関連して記載される。
【０００７】
１つの態様では、干渉を低減するためにアップリンク送信電力制御を実行する方法が提供される。この方法は、近隣ノードから、過負荷インジケーションのオーバ・ザ・エア・ブロードキャストを受信することと、近隣ノードにおける干渉レベル（例えば、ＩｏＴ雑音）を低減するために、受信した過負荷インジケーションに基づいて、送信電力制御を実行することとを含みうる。例えば、送信電力制御を実行することは、送信電力スペクトル密度を調節することを含みうる。
【０００８】
関連する態様では、この方法は、近隣ノードから、物理ブロードキャスト・チャネル（ＰＢＣＨ）で受信した過負荷インジケーションを検出することを含みうる。この方法は、短縮されたＰＢＣＨのミッドアンブル内の所与の数（例えば、６つ）のリソース・ブロックのうち、定義された数（例えば、２つ）のリソース・ブロックを受信することを含みうる。この方法は、過負荷インジケーションを、ＰＢＣＨによって伝送されたビットとして検出することを含みうる。
【０００９】
さらに関連する態様では、この方法は、物理ハイブリッド自動反復要求インジケータ・チャネル（ＰＨＩＣＨ）で受信した過負荷インジケーションを検出することを含みうる。ＰＨＩＣＨは、複数の近隣ノードからの異なる時間スロットにおいて時分割多重化（ＴＤＭ）変調されうるか、複数の近隣ノードからの異なる周波数リソースにおいて周波数分割多重化（ＦＤＭ）変調されうるか、複数の近隣ノードからの異なるウォルシュ符号で符号分割多重化（ＣＤＭ）変調されうる。この方法は、過負荷インジケーションを伝送するために、セル毎にＰＨＩＣＨリソースを確保することを含みうる。
【００１０】
さらにまた、関連する態様では、この方法は、アクセス端末（ＡＴ）において過負荷インジケーションを受信することを含みうる。あるいは、または、それに加えて、この方法は、（例えば、フェムト・アクセス・ポイント、ホーム・ベース・ノード、クローズド加入者セル等のうちの選択された１つである）小規模なベース・ノードにおいて過負荷インジケーションを受信することと、近隣ノードにおける干渉レベルを低減するために、小規模なベース・ノードの有効通信範囲エリア内のＡＴに対して、受信した過負荷インジケーションに基づいて、送信電力スペクトル密度を調節するように指示することと、を含みうる。
【００１１】
別の態様では、干渉制御のため過負荷インジケーションをブロードキャストする方法が提供される。この方法は、アップリンクにおける干渉レベル（例えば、ＩｏＴ雑音）が、しきい値を越えていることを判定することと、過負荷インジケーションに基づいて近隣受信者が送信電力制御を実行するために、過負荷インジケーションのオーバ・ザ・エア・ブロードキャストを送信することと、を含みうる。
【００１２】
関連する態様では、この方法は、ＰＢＣＨで過負荷インジケーションを送信することを含みうる。例えば、この方法は、短縮されたＰＢＣＨのミッドアンブル内の中央の６つのリソース・ブロックのうち、２つのリソース・ブロックを送信することと、および／または、過負荷インジケーションを、ＰＢＣＨによって伝送されるビットとして送信することと、これによって、ＰＢＣＨにおいて確保されたビットを用いることと、を含みうる。
【００１３】
さらに、関連する態様では、この方法は、ＰＨＩＣＨで過負荷インジケーションを送信することと、近隣セルから負荷情報を取得するために、所与のＡＴのためにＰＨＩＣＨを用いることと、を含みうる。ＰＨＩＣＨは、複数の近隣ノードからの異なる時間スロットにおいてＴＤＭ変調されうるか、複数の近隣ノードからの異なる周波数リソースにおいてＦＤＭ変調されうるか、複数の近隣ノードからの異なるウォルシュ符号でＣＤＭ変調されうる。この方法は、規定された信号対雑音比ペネトレーションを達成するために、複数の近隣ノードにわたって直交しているＰＨＩＣＨでＰＨＩＣＨリソースを送信することを含みうる。
【００１４】
１または複数の態様および対応する開示によれば、さまざまな態様が、アップリンク電力制御を実行すること、または、過負荷インジケーションをブロードキャストすること、のためのデバイスおよび装置に関連して記載される。この装置（例えば、ＡＴまたは小規模なベース・ノード）は、近隣ノードから、過負荷インジケーションのオーバ・ザ・エア・ブロードキャストを受信するための電子構成要素と、近隣ノードにおける干渉レベルを低減するために、受信した過負荷インジケーションに基づいて、送信電力制御を実行するための電子構成要素と、を備えうる。
【００１５】
別の態様では、アップリンクにおける干渉レベルが、しきい値を越えていることを判定するための電子構成要素と、過負荷インジケーションに基づいて近隣受信者が送信電力制御を実行するために、過負荷インジケーションのオーバ・ザ・エア・ブロードキャストを送信するための電子構成要素と、を備える装置（例えば、マクロ基地局または小規模なベース・ノード）が提供される。
【００１６】
前述した目的および関連する目的を達成するために、１または複数の態様は、後に十分に説明され、特許請求の範囲で特に指摘される特徴を備える。以下の記述および関連図面は、ある例示的な態様をより詳細に説明し、これら態様の原理が適用されるさまざまな方式のうちの少数を示す。図面とともに考慮された場合、以下の詳細記載から、その他の新規な特徴が明らかになるであろう。そして、開示された態様は、そのようなすべての態様およびそれらの均等物を含むことが意図されている。
【図面の簡単な説明】
【００１７】
【図１】図１は、ブロードキャストされた過負荷インジケーションに基づいて、厳格な干渉オーバ・サーマル雑音制御のためのヘテロジニアスな通信システムのブロック図を図示する。
【図２】図２は、多くのユーザをサポートするように構成された無線通信システムの概要図を例示する。
【図３】図３は、マクロ・セル、フェムト・セル、およびピコ・セルを備える無線通信システムの概要図を例示する。
【図４】図４は、ネットワーク環境内に１または複数のフェムト・ノードが展開されている通信システムの概要図を例示する。
【図５】図５は、いくつかのトラッキング・エリア、ルーティング・エリア、または、ロケーション・エリアが定義される有効通信範囲マップの概要図を例示する。
【図６】図６は、多元接続無線通信システムの概要図を例示する。
【図７】図７は、複数入力複数出力（ＭＩＭＯ）通信システムにおけるノードおよび端末の概要図を例示する。
【図８】図８は、アップリンク送信電力制御を実行するための方法の例を図示する。
【図９】図９は、図８の方法のさらなる態様を例示する。
【図１０】図１０は、図８の方法のさらなる態様を例示する。
【図１１】図１１は、図８の方法のさらなる態様を例示する。
【図１２】図１２は、アップリンク送信電力制御を実行する典型的な装置を示す。
【図１３】図１３は、過負荷インジケーションをブロードキャストするための方法の例を図示する。
【図１４】図１４は、図１３の方法のさらなる態様を例示する。
【図１５】図１５は、図１３の方法のさらなる態様を例示する。
【図１６】図１６は、過負荷インジケーションをブロードキャストするための典型的な装置を示す。
【発明を実施するための形態】
【００１８】
さまざまな態様が、図面を参照して記載される。以下の記載では、説明の目的のために、１または複数の態様の完全な理解を提供するために、多くの具体的な詳細が述べられる。しかしながら、これらさまざまな態様は、これら特定の詳細無しで実現されうることが明白である。他の事例では、これら態様の記載を容易にするために、周知の構成およびデバイスが、ブロック図形式で示される。
【００１９】
図１では、通信システム１００は、現在、３ＧＰＰ内で開発中のイボルブドＵＭＴＳ地上ラジオ・アクセス・ネットワーク（ＵＴＲＡＮ−ＬＴＥまたはＥ−ＵＴＲＡとも称されるＥ−ＵＴＲＡＮ）１０２を部分的に備える。Ｅ−ＵＴＲＡＮシステム１０２は、イボルブド・ノードＢ（ｅＮＢ）１０４ａ−１０４ｃを含み、ユーザ機器（ＵＥ）またはアクセス端末（ＡＴ）１０６へ、Ｅ−ＵＴＲＡユーザ・プレーンおよび制御プレーン・プロトコル終了を提供する。例えば、ユーザ・プレーンは、パケット・データ収束プロトコル（ＰＤＣＰ）、ラジオ・リンク制御（ＲＬＣ）、媒体アクセス制御（ＭＡＣ）、および物理（ＰＨＹ）レイヤを含みうる一方、制御プレーンは、ラジオ・リソース制御（ＲＲＣ）レイヤを含みうる。ｅＮＢ１０４ａ−１０４ｃは、Ｘ２インタフェースによって互いに相互接続される。ｅＮＢ１０４ａ−１０４ｃはまた、Ｓ１インタフェースによって、ＥＰＣ（イボルブド・パケット・コア）に、さらに詳しくは、Ｓ１−ＭＭＥインタフェースによって、モビリティ管理エンティティ（ＭＭＥ）に、および、Ｓ１インタフェースによって、サービス提供ゲートウェイ（Ｓ−ＧＷ）に接続されている。これらゲートウェイは、１０８ａ−１０８ｂにおいて集合的に図示されている。Ｓ１インタフェースは、ＭＭＥ／Ｓ−ＧＷ  １０８ａ−１０８ｂおよびｅＮＢ１０４ａ−１０４ｃとの間の多対多の関係をサポートする。
【００２０】
ｅＮＢ１０４ａ−１０４ｃは、以下の機能をホストする。（ａ）例えば、アップリンクおよびダウンリンクの両方（のスケジューリング）における、ラジオ・ベアラ制御、ラジオ許可制御、接続モビリティ制御、ＡＴへのリソースの動的割当のようなラジオ・リソース管理のための機能、（ｂ）ユーザ・データ・ストリームのＩＰヘッダ圧縮および暗号化、（ｃ）ＡＴ接続点におけるＭＭＥの選択、（ｄ）サービス提供ゲートウェイへのユーザ・プレーン・データのルーティング、（ｅ）（ＭＭＥから発信された）ページング・メッセージのスケジューリングおよび送信、（ｆ）ブロードキャスト情報のスケジューリングおよび送信、および、（ｇ）モビリティおよびスケジューリングのための測定および測定レポート。
【００２１】
いくつかの態様では、本明細書に記載された教示は、マクロ・スケールの有効通信範囲（例えば、一般にマクロ・セル・ネットワークと称される３Ｇネットワークのような大規模エリアのセルラ・ネットワーク）およびより小規模な有効通信範囲（例えば、住宅ベースまたはビルディング・ベースのネットワーク環境）を含むネットワーク内に適用されうる。ＡＴは、このようなネットワーク内を移動すると、ある場所においては、マクロ有効通信範囲を提供するアクセス・ノード（“ＡＮ”）によってサービス提供される一方、別の場所においては、より小規模な有効通信範囲を提供するアクセス・ノードによってサービス提供されうる。いくつかの態様では、増大する容量成長、ビルディング内有効通信範囲、および（例えば、よりロバストなユーザ経験のための）その他のサービスを提供するために、小規模な有効通信範囲ノードが使用されうる。本明細書における説明では、比較的大きなエリアにわたって有効通信範囲を提供するノードは、マクロ・ノードと称されうる。（例えば、住宅のように）比較的小さなエリアにわたって有効通信範囲を提供するノードは、フェムト・ノードと称されうる。マクロ・エリアよりも小さく、フェムト・エリアよりも大きなエリアにわたって有効通信範囲を提供するノードは、（例えば、商業ビルディング内に有効通信範囲を提供する）ピコ・ノードと称されうる。
【００２２】
マクロ・ノード、フェムト・ノードあるいはピコ・ノードに関連付けられたセルは、マクロ・セル、フェムト・セル、あるいはピコ・セルとそれぞれ称される。いくつかの実施では、おのおののセルがさらに、１または複数のセクタに関連付けられうる（分割されうる）。
【００２３】
さまざまなアプリケーションでは、マクロ・ノード、フェムト・ノード、あるいはピコ・ノードを称するためにその他の用語が使用されうる。例えば、マクロ・ノードは、アクセス・ノード、基地局、アクセス・ポイント、ｅＮＢ、マクロ・セル等として構成されうるか、または、称されうる。さらに、フェムト・ノードは、ホーム・ノードＢ、ホームｅＮＢ、アクセス・ポイント基地局、フェムト・セル等として構成されうるか、称されうる。
【００２４】
図１に戻って、小規模なベース・ノード（例えば、フェムト・セル、クローズド加入者セル、ホーム・ベース・ノード等）１２０は、加入者ＡＴ１２２にサービス提供し、データ・パケット・ネットワーク１２４（例えば、インターネット）を経由してコア・ネットワーク１２６に接続している。Ｅ−ＵＴＲＡＮ１０２は、例えば、ＡＴ１０６へのコールを停止しうる。アップリンク（ＵＬ）チャネルにおける厳格な干渉オーバ・サーマル雑音（ＩｏＴ）制御が、ブロードキャスト過負荷インジケーション（ＯＩ）１３０によって達成されうる。従来（例えば、リリース８）、ＯＩ１３０は、Ｘ２インタフェースを介してｅＮＢ１０４ａ−１０４ｃ間で送信される。ヘテロジニアスなネットワーク１３２では、Ｘ２インタフェースは、ｅＮＢ１０４として図示されているような、小規模なベース・ノード１２０とマクロ・セルとの間では利用可能ではないことがありうる。ＡＴ１２２と同様に、マクロ・セルｅＮＢ１０４ａからのオーバ・ザ・エア（ＯＴＡ）ブロードキャストを受信（Ｒｘ）するために、小規模なベース・ノード１２０にプロビジョンすることによって、小規模なベース・ノード１２０は、送信電力制御１３４をも実行しうる。副次的な利益として、ＡＴはまた、ＯＴＡブロードキャストＯＩを受信しうる。
【００２５】
典型的な態様では、ＯＴＡ  ＯＩブロードキャストは、短縮された物理ブロードキャスト・チャネル（ＰＢＣＨ）を介してなされうる。例えば、ＯＩは、導入された物理チャネルにおけるミッドアンブル内の６つのリソース・ブロック（ＲＢ）の中央の２つのＲＢで送られるバイナリ・シグナリングによって送信されうる。
【００２６】
あるいは、ＯＩは、短縮されていないＰＢＣＨで利用可能なリソース（例えば、将来の互換性のために予約された８または９からなる予約ビット）を利用しうる。これによって、新たなチャネルを追加する必要がないので、実施が簡素化される。１つの態様では、ＰＢＣＨは、１６ビットの巡回冗長検査（ＣＲＣ）を持っており、復号されると、かなり信頼性が高くなる。
【００２７】
別の態様では、ＰＢＣＨにより多くのビットを加えることによって、より良好なＯＩグラニュラリティが達成される。例えば、予め定義されたビットマップを用いてサブ帯域ＯＩを示すために、１より多くのビットが使用されうる。したがって、過負荷サブ帯域を占有しないＡＴは、送信（“」Ｔｘ”）電力スペクトル密度（ＰＳＤ）を低減しない。別の態様では、ＯＩはまた、ＰＢＣＨにおけるＯＩベースのスクランブリングまたは追加のＣＲＣを用いて、ブラインド復号の一部としても示されうる。しかしながら、短縮されていないＰＢＩＣＨは、４０ミリ秒の送信時間インタバル（ＴＴＩ）に関連付けられたレイテンシに遭遇しうる。
【００２８】
さらなる態様では、ＯＩは、短縮されたＰＢＣＨまたは短縮されていないＰＢＣＨの何れかを用いるのではなく、物理ハイブリッドＡＲＱインジケータ・チャネル（ＰＨＩＣＨ）によって送信されうる。第１のオプションとして、ＡＴは、近隣セルＰＨＩＣＨをモニタし、もしもＰＨＩＣＨを復号できるのであれば、このＵＬ送信が近隣セルへの干渉を引き起こしうることを示す。ＰＨＩＣＨリソース・マッピングは、開始物理リソース・ブロック（ＰＲＢ）インデクスに依存するので、ＰＨＩＣＨは、近隣のＵＬリソース占有を区別する。新たなチャネルを加えてはならない。また、追加の信号も送信されてはならない。しかしながら、ＡＴが、近隣セルＰＨＩＣＨ探索空間を得るためのオーバヘッドが存在する。これは、ＡＴが、近隣セルＰＢＣＨを読み取るべきであることを示唆する。
【００２９】
ＯＩのためにＰＨＩＣＨを用いる第２のオプションとして、ＯＩを送信するために、ＰＨＩＣＨリソース（単数または複数）が確保されうる。これらのＰＨＩＣＨリソースは、より良好な信号対雑音比（ＳＮＲ）ペネトレーションを達成するために、近隣にわたって直交化されうる。これらのＰＨＩＣＨリソースは、どのＵＬ送信に対してもマップされない。
【００３０】
必要な場合、より良好な処理ゲインを達成するために、複数のＰＨＩＣＨリソースが確保され、結合され、ＯＩが送信される。１つの態様では、ＯＩのために、少なくとも１つのＰＨＩＣＨリソースが、中心１．０８ＭＨｚにマップされうる。したがって、ＡＴは、ＰＨＩＣＨ復号を得るために、ちょうど中心１．０８ＭＨｚを使用しうる。したがって、ＯＩのためのＰＨＩＣＨリソースは、ＡＴが、近隣セルの帯域幅を知る必要がないように、帯域幅を認識しない。典型的な態様では、ＯＩ  ＰＨＩＣＨグループおよびウォルシュ符号は、セルＩＤに応じうる。中心１．０８ＭＨｚの外側の追加セグメントは、近隣セル帯域幅を知っているＡＴのために使用されうる。
【００３１】
したがって、新たなチャネルは追加されない。ＰＨＩＣＨは、レイテンシ問題無しで、極めて頻繁に送信されうる。ＡＴが近隣セルＰＨＩＣＨを読み取ることができない場合、特に、干渉が制限されたシナリオにおいて、チャレンジが存在しうる。これは、以下の組み合わせによって克服されうる。（ａ）近隣にわたるリソース直交化（例えば、異なる時間スロットを用いる近隣セルとの時分割多重化（ＴＤＭ）、異なる周波数リソースを用いる近隣セルとの周波数分割多重化（ＦＤＭ）、異なるウォルシュ符号等を用いる近隣セルとの符号分割多重化（ＣＤＭ））。（ｂ）ＯＩを送信するために、１より多くのＰＨＩＣＨリソースを用いることによるリソース反復。これは、判定前に、複数のＰＨＩＣＨリソースにわたってログ尤度比（ＬＬＲ）を結合することにより、最小の受信機複雑さで達成されうる。および／または、（ｃ）ＰＨＩＣＨ干渉除去（ＩＣ）。これによって、ＰＨＩＣＨは、干渉が制限されたシナリオにおいて復号されうる。
【００３２】
図２は、多くのユーザをサポートするように構成され、本明細書に記載された教示が実施される無線通信システム２００を例示する。このシステム２００は、例えばマクロ・セル２０２ａ−２０２ｇのような複数のセル２０２のための通信を提供する。ここで、各セルは、対応するアクセス・ノード２０４（例えば、アクセス・ノード２０４ａ−２０４ｇ）によってサービス提供される。図２に示すように、ＡＴ２０６（例えば、ＡＴ２０６ａ−２０６ｌ）は、時間にわたって、システム内のさまざまな位置に分布しうる。おのおののＡＴ２０６は、例えば、ＡＴ２０６がアクティブであるか、および、ソフト・ハンドオフにあるかに依存して、所与の瞬間において、順方向リンク（“ＦＬ”）および／または逆方向リンク（“ＲＬ”）によって、１または複数のアクセス・ノード２０４と通信することができる。無線通信システム２００は、大規模な地理的領域にわたってサービスを提供することができる。例えば、マクロ・セル２０２ａ−２０２ｇは、近隣の少数のブロックをカバーすることができる。
【００３３】
図３に示す例において、基地局３１０ａ、３１０ｂ、３１０ｃは、それぞれマクロ・セル３０２ａ、３０２ｂ、３０２ｃのためのマクロ基地局でありうる。基地局３１０ｘは、端末３２０ｘと通信するピコ・セル３０２ｘのためのピコ基地局でありうる。基地局３１０ｙは、端末３２０ｙと通信するフェムト・セル３０２ｙのためのフェムト基地局でありうる。単純化のために図３では図示されていないが、マクロ・セルは、端部においてオーバラップしうる。ピコ・セルおよびフェムト・セルは、（図３に示されるように）マクロ・セル内に位置しうるか、または、マクロ・セルおよび／またはその他のセルとオーバラップしうる。
【００３４】
無線ネットワーク３００はまた、例えば、端末３２０ｚと通信する中継局３１０ｚのような中継局を含みうる。中継局は、上流局から、データおよび／またはその他の情報の送信を受信し、下流局へ、データおよび／またはその他の情報の送信を送る局である。上流局は、基地局、別の中継局、または端末でありうる。下流局は、端末、別の中継局、または基地局でありうる。中継局はまた、他の端末のための送信を中継する端末でもありうる。中継局は、低い再使用プリアンブルを送信および／または受信しうる。例えば、中継局は、ピコ基地局と類似の方式で低再使用プリアンブルを送信し、端末と類似の方式で低再使用プリアンブルを受信しうる。
【００３５】
ネットワーク・コントローラ３３０は、基地局のセットに接続しており、これら基地局に対して調整および制御を提供しうる。ネットワーク・コントローラ３３０は、単一のネットワーク・エンティティであるか、複数のネットワーク・エンティティの集合でありうる。ネットワーク・コントローラ３３０は、バックホールを介して基地局３１０と通信しうる。バックホール・ネットワーク通信３３４は、このような分散型アーキテクチャを用いる基地局３１０ａ−３１０ｃ間のポイント・トゥ・ポイント通信を容易にしうる。基地局３１０ａ−３１０ｃはまた、例えば、ダイレクトに、または、無線または有線のバックホールを介して非ダイレクトに、互いに通信しうる。
【００３６】
無線ネットワーク３００は、（図３に示されていない）マクロ基地局のみを含むホモジニアスなネットワークでありうる。無線ネットワーク３００はまた、例えば、マクロ基地局、ピコ基地局、ホーム基地局、中継局等のような異なるタイプの基地局を含むヘテロジニアスなネットワークでありうる。これら異なるタイプの基地局は、異なる送信電力レベル、異なる有効通信範囲エリア、および、無線ネットワーク３００内の干渉に対する異なるインパクトを有しうる。例えば、マクロ基地局は、高い送信電量レベル（例えば、２０ワット）を有する一方、ピコ基地局およびフェムト基地局は、低い送信電力レベル（例えば、３ワット）を有しうる。本明細書に記載された技術は、ホモジニアスなネットワークおよびヘテロジニアスなネットワークのために使用されうる。
【００３７】
端末３２０は、無線ネットワーク３００全体にわたって分布し、おのおのの端末は、据置式または移動式でありうる。端末は、ＡＴ、移動局（ＭＳ）、ＵＥ、加入者ユニット、局等とも称されうる。端末は、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局等でありうる。端末は、ダウンリンクおよびアップリンクによって基地局と通信しうる。ダウンリンク（すなわち、順方向リンク）は、基地局から端末への通信リンクを称し、アップリンク（すなわち、逆方向リンク）は、端末から基地局への通信リンクを称する。
【００３８】
端末は、マクロ基地局、ピコ基地局、フェムト基地局、および／または、その他のタイプの基地局と通信可能でありうる。図３では、２つの矢印を持つ実線が、端末と、ダウンリンクおよび／またはアップリンクで端末にサービス提供するように指定された基地局であるサービス提供基地局との間の所望の送信を示す。２つの矢印を持つ破線は、端末と基地局との間の干渉送信を示す。干渉基地局とは、ダウンリンクで端末に対して干渉をもたらす、および／または、アップリンクで端末からの干渉を観察する基地局である。
【００３９】
無線ネットワーク３００は、同期動作または非同期動作を支援しうる。同期動作の場合、基地局は、同じフレーム・タイミングを有し、異なる基地局からの送信は、時間的に揃えられうる。非同期動作の場合、基地局は、異なるフレーム・タイミングを有し、異なる基地局からの送信は、時間的に揃わない。例えば全地球測位システム（ＧＰＳ）のような同期ソースにアクセスせず、屋内で展開されうるピコ基地局およびフェムト基地局の場合、非同期動作がより一般的でありうる。
【００４０】
１つの態様では、システム容量を改善するために、それぞれの基地局３１０ａ−３１０ｃに対応する有効通信範囲エリア３０２ａ、３０２ｂ、３０２ｃは、複数のより小さなエリア（例えば、エリア３０４ａ、３０４ｂ、３０４ｃ）に分割されうる。これら小さなエリア３０４ａ、３０４ｂ、３０４ｃのおのおのは、ぞれぞれのベース・トランシーバ・サブシステム（図示しないＢＴＳ）によってサービス提供されうる。本明細書および当該技術分野で一般的に用いられているように、用語「セクタ」は、この用語が使用されるコンテキストに依存して、ＢＴＳおよび／またはその有効範囲エリアを称しうる。一例では、セル３０２ａ、３０２ｂ、３０２ｃ内のセクタ３０４ａ、３０４ｂ、３０４ｃは、基地局３１０において、（図示しない）アンテナのグループによって形成されうる。ここでは、アンテナのおのおののグループは、セル３０２ａ、３０２ｂ、３０２ｃの部分内の端末３２０との通信を担当する。例えば、セル３０２ａにサービス提供する基地局３１０は、セクタ３０４ａに対応する第１のアンテナ・グループと、セクタ３０４ｂに対応する第２のアンテナ・グループと、セクタ３０４ｃに対応する第３のアンテナ・グループとを有しうる。しかしながら、本明細書で開示されたさまざまな態様は、セクタ化されたセルおよび／またはセクタ化されていないセルを有するシステムにおいて使用されうることが認識されるべきである。さらに、任意の数のセクタ化されたセルおよび／またはセクタ化されていないセルを有するすべての適切な無線通信ネットワークは、添付された特許請求の範囲のスコープ内にあることが意図されていることが認識されるべきである。簡略のために、本明細書で使用される用語「基地局」は、セルにサービス提供する基地局のみならず、セクタにサービス提供する基地局をも称しうる。本明細書で使用されるように、分離されたリンク・シナリオにおけるダウンリンク・セクタは、近隣セクタであることが認識されるべきである。以下の記載は一般に、簡略のために、各端末が、１つのサービス提供アクセス・ポイントと通信しているシステムに関連しているが、端末は、任意の数のサービス提供アクセス・ポイントと通信しうることが認識されるべきである。
【００４１】
図４は、１または複数のフェムト・ノードがネットワーク環境内で展開されている典型的な通信システム４００を例示する。具体的には、システム４００は、（例えば、１または複数のユーザ住宅４３０内のような）比較的小規模スケールのネットワーク環境に搭載された複数のフェムト・ノード４１０（例えば、フェムト・ノード４１０ａ、４１０ｂ）を含む。おのおののフェムト・ノード４１０は、ＤＳＬルータ、ケーブル・モデム、無線リンク、あるいは（図示しない）その他の接続手段を介して、広域ネットワーク４４０（例えば、インターネット）およびモバイル・オペレータ・コア・ネットワーク４５０へ接続されうる。以下に議論されるように、おのおののフェムト・ノード４１０は、関連付けられたＡＴ４２０や、オプションとして、（図示しない）外部のＡＴ（単数または複数）にサービス提供するように構成されうる。言い換えれば、フェムト・ノード４１０へのアクセスが制限され、これによって、所与のＡＴ４２０が、指定された（例えば、住宅のような）フェムト・ノード（単数または複数）４１０のセットによってサービス提供されうるが、（例えば、近隣のフェムト・ノード４１０のように）指定されていないフェムト・ノード４１０によってサービス提供されない。
【００４２】
図５は、おのおのがいくつかのマクロ有効通信範囲エリア５０４を含むいくつかのトラッキング・エリア５０２（または、ルーティング・エリアまたは位置エリア）が定義されている有効通信範囲マップ５００の例を示す。ここでは、トラッキング・エリア５０２ａ、５０２ｂ、５０２ｃに関連付けられた有効通信範囲のエリアが、太線によって線引きされ、マクロ有効通信範囲エリア５０４が六角形によって示されている。トラッキング・エリア５０２は、フェムト有効通信範囲エリア５０６をも含んでいる。この例において、フェムト有効通信範囲エリア５０６（例えば、フェムト有効通信範囲エリア５０６Ｃ）のおのおのは、マクロ有効通信範囲エリア５０４（例えば、マクロ有効通信範囲エリア５０４ｂ）内に図示される。しかしながら、フェムト有効通信範囲エリア５０６は、マクロ有効通信範囲エリア５０４内に全体が位置していなくても良いことが認識されるべきである。実際、所与のトラッキング・エリア５０２またはマクロ有効通信範囲エリア５０４を用いて、極めて多くのフェムト有効通信範囲エリア５０６が定義される。さらに、１または複数のピコ有効通信範囲エリア（図示せず）が、所与のトラッキング・エリア５０２またはマクロ有効通信範囲エリア５０４内で定義されうる。
【００４３】
図４に再び示すように、フェムト・ノード４１０の所有者は、モバイル・オペレータ・コア・ネットワーク４５０によって提供される例えば３Ｇモバイル・サービスのようなモバイル・サービスに加入しうる。それに加えて、ＡＴ４２０は、マクロ環境と、（例えば、住宅のような）小規模スケールのネットワーク環境との両方において動作可能でありうる。言い換えれば、ＡＴ４２０は、ＡＴ４２０の現在位置に依存して、マクロ・セル・モバイル・ネットワーク４５０のアクセス・ノード４６０によって、あるいは、（例えば、対応するユーザ住宅４３０内に存在するフェムト・ノード４１０ａ、４１０ｂのような）フェムト・ノード４１０のセットのうちの何れか１つによってサービス提供されうる。例えば、加入者が、自宅の外にいる場合、標準的なマクロ・アクセス・ノード（例えば、ノード４６０）によってサービス提供され、加入者が、自宅にいる場合、フェムト・ノード（例えば、ノード４１０ａ）によってサービス提供される。ここで、フェムト・ノード４１０は、既存のＡＴ４２０と下位互換性がありうることが認識されるべきである。
【００４４】
フェムト・ノード４１０は、単一の周波数で、または、代替例では、複数の周波数で展開されうる。特定の構成に依存して、単一の周波数、または、複数の周波数のうちの１または複数が、（例えば、ノード４６０のような）マクロ・ノードによって使用される１または複数の周波数とオーバラップしうる。
【００４５】
いくつかの態様では、ＡＴ４２０は、（例えば、ＡＴ４２０のホーム・フェムト・ノードのような）好適なフェムト・ノードとの接続が可能である場合には常に接続するように構成されうる。例えば、ＡＴ４２０がユーザの住宅４３０内にある場合には常に、ＡＴ４２０は、ホーム・フェムト・ノード４１０とのみ通信しうることが望まれうる。
【００４６】
いくつかの態様では、ＡＴ４２０がマクロ・セルラ・ネットワーク４５０内で動作するが、（例えば、好適なローミング・リストで定義されたような）最も好適なネットワークに存在しない場合、ＡＴ４２０は、より良好なシステムが現在利用可能であるかを判定するために、利用可能なシステムの定期的なスキャンと、好適なシステムと関連付けるためのその後の努力とを含むベター・システム再選択（“ＢＳＲ”：Ｂｅｔｔｅｒ  Ｓｙｓｔｅｍ  Ｒｅｓｅｌｅｃｔｉｏｎ）を使用して、最も好適なネットワーク（例えば、好適なフェムト・ノード４１０）を探索し続けうる。獲得エントリをもって、ＡＴ４２０は、特定の帯域およびチャネルの探索を制限しうる。例えば、最も好適なシステムの探索は、定期的に反復されうる。ＡＴ４２０は、好適なフェムト・ノード４１０を発見すると、自己の有効通信範囲領域内でキャンプするためのフェムト・ノード４１０を選択する。
【００４７】
フェムト・ノードは、いくつかの態様において、制限されうる。例えば、所与のフェムト・ノードは、単に、あるＡＴに、あるサービスを提供する。いわゆる制限された（あるいはクローズされた）関係を持つ構成では、所与のＡＴは、マクロ・セル・モバイル・ネットワーク、および、（例えば、対応するユーザ住宅４３０内に存在するフェムト・ノード４１０のような）フェムト・ノードの定義されたセットによってのみサービス提供されうる。いくつかの実施では、ノードは、少なくとも１つのノードのために、シグナリング、データ・アクセス、登録、ページング、またはサービスのうちの少なくとも１つを提供しないように制限されうる。
【００４８】
いくつかの態様では、（クローズド加入者グループ・ホーム・ノードＢとも称されうる）制限されたフェムト・ノードは、制限された、ＡＴのプロビジョン・セットにサービスを提供するノードである。必要な場合、このセットは、一時的または永久に拡張されうる。いくつかの態様では、クローズド加入者グループ（“ＣＳＧ”）は、ＡＴの共通のアクセス制御リストを共有するアクセス・ノード（例えば、フェムト・ノード）のセットとして定義されうる。領域内のすべてのフェムト・ノード（または制限されたすべてのフェムト・ノード）が動作するチャネルは、フェムト・チャネルと称されうる。
【００４９】
所与のフェムト・ノードと、所与のＡＴとの間に、さまざまな関係が存在しうる。例えば、ＡＴの観点から、オープンなフェムト・ノードは、制限された関連付けを持たないフェムト・ノードと称されうる。制限されたフェムト・ノードは、（例えば、関連付けおよび／または登録について制限されたような）ある方式で制限されたフェムト・ノードを称しうる。ホーム・フェムト・ノードは、ＡＴがアクセスおよび動作することを許可されたフェムト・ノードを称しうる。ゲスト・フェムト・ノードは、ＡＴがアクセスし動作することを一時的に許可されたフェムト・ノードを称しうる。外部フェムト・ノードは、恐らくは緊急時（例えば、９１１コール）を除いて、ＡＴがアクセスまたは動作することを許可されていないフェムト・ノードを称しうる。
【００５０】
制限されたフェムト・ノードの観点から、ホームＡＴは、制限されたフェムト・ノードにアクセスすることを許可されたＡＴを称しうる。ゲストＡＴは、制限されたフェムト・ノードへの一時的なアクセスを持つＡＴを称しうる。外部ＡＴは、恐らくは、例えば９１１コールのような緊急事態を除いて、制限されたフェムト・ノードへアクセスする許可を持たないＡＴ（例えば、制限されたフェムト・ノードに登録する証明書または許可を持たないアクセス端末）を称しうる。
【００５１】
便宜上、本明細書における開示は、フェムト・ノードのコンテキストで、さまざまな機能を説明している。しかしながら、大規模な有効通信範囲エリアのために、ピコ・ノードが、同じまたは同様の機能を提供しうることが認識されるべきである。例えば、ピコ・ノードが制限され、所与のＡＴ等のためにホーム・ピコ・ノードが定義されうる。
【００５２】
無線多元接続通信システムは、複数の無線ＡＴのための通信を同時にサポートすることができる。前述したように、おのおのの端末は、順方向リンクおよび逆方向リンクによる送信によって１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力複数出力（“ＭＩＭＯ”）システム、あるいは、その他いくつかのタイプのシステムによって確立されうる。
【００５３】
図６に示すように、１つの態様にしたがった多元接続無線通信システムが例示される。アクセス・ポイント（ＡＰ）６００は、１つは６０４および６０６を含み、別の１つは６０８および６１０を含み、さらに別の１つは６１２および６１４を含む複数のアンテナ・グループを含む。図６では、おのおののアンテナ・グループについて２本のアンテナしか示されていない。しかしながら、おのおののアンテナ・グループについて、それより多くのまたはそれより少ないアンテナが利用されうる。さらに、ＡＴ６１６は、アンテナ６１２、６１４と通信し、ここで、アンテナ６１２、６１４は順方向リンク２２４でＡＴ６１６に情報を送信し、逆方向リンク６１８でＡＴ６１６から情報を受信する。ＡＴ６２２は、アンテナ６０６、６０８と通信し、ここで、アンテナ６０６、６０８は順方向リンク６２６でＡＴ６２２に情報を送信し、逆方向リンク６２４でＡＴ６２２から情報を受信する。周波数分割デュプレクス（ＦＤＤ）システムでは、通信リンク６１８、６２０、６２４、６２６は、通信のために、異なる周波数を使用しうる。例えば、順方向リンク６２０は、逆方向リンク６１８によって使用されるものとは異なる周波数を使用することができる。
【００５４】
通信するように設計された領域および／またはアンテナのおのおののグループは、しばしば、アクセス・ポイントのセクタと称される。態様では、アンテナ・グループは各々、アクセス・ポイント６００によってカバーされた領域のセクタ内のＡＴと通信するように設計される。
【００５５】
順方向リンク６２０、６２６による通信では、アクセス・ポイント６００の送信アンテナは、他のＡＴ６１６、６２２の順方向リンクの信号対雑音比を改善するためにビームフォーミングを利用する。さらに、有効範囲領域にわたってランダムに散在するＡＴへ送信するためにビームフォーミングを用いるアクセス・ポイントは、ＡＴのすべてへと単一のアンテナによって送信するアクセス・ポイントよりも、近隣のセル内のＡＴに対して少ない干渉しかもたらさない。
【００５６】
アクセス・ポイントは、端末と通信するために使用される固定局であり、アクセス・ポイント、ノードＢ、またはその他いくつかの用語でも称されうる。
【００５７】
ＭＩＭＯ（複数入力複数出力）通信システムは、データ送信のために、複数（ＮＴ個）の送信アンテナと、複数（ＮＲ個）の受信アンテナを適用する。ＮＴ個の送信アンテナおよびＮＲ個の受信アンテナによって形成されるＭＩＭＯチャネルは、空間チャネルとも称されるＮＳ個の独立チャネルへ分解されうる。ここで、ＮＳ≦ｍｉｎ｛ＮＴ，ＮＲ｝である。ＮＳ個の独立チャネルのおのおのは、ディメンションに相当する。ＭＩＭＯシステムは、複数の送信アンテナおよび受信アンテナによって形成された追加のディメンションが利用される場合、向上された性能（例えば、より高いスループット、および／または、より高い信頼性）を与えうる。
【００５８】
ＭＩＭＯシステムは、時分割デュプレクス（“ＴＤＤ”）および周波数分割デュプレクス（“ＦＤＤ”）をサポートしうる。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントは、アクセス・ポイントにおいて複数のアンテナが利用可能である場合、順方向リンクで、ビームフォーミング利得を送信できるようになる。
【００５９】
本明細書における教示は、少なくとも１つの他のノードと通信するためにさまざまな構成要素を適用するノード（例えば、デバイス）へ組み込まれうる。図７は、ＭＩＭＯシステム７００における送信機システム７１０（アクセス・ポイントとしても知られている）および受信機システム７５０（ＡＴとしても知られている）の実施形態のブロック図である。送信機システム７１０では、多くのデータ・ストリーム用のトラフィック・データが、データ・ソース７１２から送信（ＴＸ）データ・プロセッサ７１４に提供される。
【００６０】
実施形態では、おのおののデータ・ストリームが、それぞれの送信アンテナを介して送信される。ＴＸデータ・プロセッサ７１４は、符号化されたデータを提供するために、データ・ストリームについて選択された特定の符号化スキームに基づいて、各データ・ストリームのためのトラフィック・データをフォーマットし、符号化し、インタリーブする。
【００６１】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームの多重化されたパイロットおよび符号化されたデータは、その後、データ・ストリームのために選択された特定の変調スキーム（例えば、バイナリ・フェーズ・シフト・キーイング（ＢＳＰＫ）、ｍアレイ・フェーズ・シフト・キーイング（Ｍ−ＰＳＫ）、または、マルチ・レベル直交振幅変調（Ｍ−ＱＡＭ））に基づいて変調（すなわち、シンボル・マップ）され、変調シンボルが提供される。おのおののデータ・ストリームのデータ・レート、符号化、および変調は、プロセッサ７３０によって実行される命令群によって決定される。
【００６２】
すべてのデータ・ストリームの変調シンボルはその後、ＴＸ  ＭＩＭＯプロセッサ７２０へ提供される。ＴＸ  ＭＩＭＯプロセッサ７２０はさらに、（例えばＯＦＤＭのための）変調シンボルを処理する。ＴＸ  ＭＩＭＯプロセッサ７０はその後、ＮＴ個の変調シンボル・ストリームを、ＮＴ個の送信機（ＴＭＴＲ）７２２ａ乃至７２２ｔへ提供する。ある実施形態では、ＴＸ  ＭＩＭＯプロセッサ７２０は、データ・ストリームのシンボル、および、そのシンボルが送信されるアンテナへ、ビームフォーミング重みを適用する。
【００６３】
おのおのの送信機７２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機７２２ａ乃至７２２ｔからのＮＴ個の変調信号が、その後、ＮＴ個のアンテナ７２４ａ乃至７２４ｔからそれぞれ送信される。
【００６４】
受信機システム７５０では、送信された変調信号がＮＲ個のアンテナ７５２ａ乃至７５２ｒによって受信され、おのおののアンテナ７５２からの受信信号が、それぞれの受信機（ＲＣＶＲ）７５４ａ乃至７５４ｒへ提供される。おのおのの受信機７５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６５】
ＲＸデータ・プロセッサ７６０は、ＮＲ個の受信機７５４からＮＲ個のシンボル・ストリームを受信し、受信したＮＲ個のシンボル・ストリームを、特定の受信機処理技術に基づいて処理して、ＮＴ個の検出済みシンボル・ストリームを提供する。ＲＸデータ・プロセッサ７６０は、その後、検出されたおのおののシンボル・ストリームを復調し、デインタリーブし、復号して、そのデータ・ストリームのためのトラフィック・データを復元する。ＲＸデータ・プロセッサ７６０による処理は、基地局７１０におけるＴＸ  ＭＩＭＯプロセッサ７２０およびＴＸデータ・プロセッサ７１４によって実行されるものと相補的である。
【００６６】
プロセッサ７７０は、上述したように、どの事前符号化行列を使用するのかを定期的に決定する。プロセッサ７７０は、行列インデクス部およびランク値部を備えた逆方向リンク・メッセージを規定することができる。
【００６７】
逆方向リンク・メッセージは、通信リンクおよび／または受信されたデータ・ストリームに関するさまざまなタイプの情報を備えうる。逆方向リンク・メッセージはその後、データ・ソース７３６から多くのデータ・ストリームのトラフィック・データをも受信するＴＸデータ・プロセッサ７３８によって処理され、変調器７８０によって変調され、送信機７５４ａ乃至７５４ｒによって調整され、送信機システム７１０へ送り戻される。
【００６８】
送信機システム７１０では、受信機システム７５０からの変調信号がアンテナ７２４によって受信され、受信機７２２によって調整され、復調器７４０によって復調され、ＲＸデータ・プロセッサ７４２によって処理されることによって、受信機システム７５０によって送信された逆方向リンク・メッセージが抽出される。さらに、プロセッサ７３０は、ビームフォーミング重みを決定するためにどの事前符号化行列を使用するかを決定し、その後、この抽出されたメッセージを処理する。
【００６９】
本明細書に記載された実施形態の１または複数の態様によれば、アップリンク送信電力制御を実行する方法が提供される。図８を参照して、ブロードキャストされた過負荷インジケーションに基づいて送信電力制御を容易にする方法８００が図示される。方法８００は、ＡＴにおいて実行されうることが注目される。その代わりに、または、それに加えて、方法８００は、小規模なベース・ノード（例えば、フェムト・アクセス・ポイント、ホーム・ベース・ノード、クローズド加入者セル等のうちの選択された１つ）において実行されうる。８０２では、近隣ノードから、ＯＩのＯＴＡブロードキャストが受信される。８０４では、近隣ノードにおける干渉レベル（例えば、ＩｏＴ雑音）を低減するために、受信した過負荷インジケーションに基づいて、送信電力制御が実行される。関連する態様では、本明細書で説明された動作を実現するために、コンピュータ読取可能記憶媒体に格納されたコードを実行する１または複数のプロセッサが適用されうる。
【００７０】
図９を参照して、送信電力制御を実行することは、８０６において、送信電力スペクトル密度を調節することを含みうる。１つの実施形態では、方法８００は、８１０において、近隣ノードから、物理ブロードキャスト・チャネル（ＰＢＣＨ）で受信した過負荷インジケーションを検出することを含みうる。この方法８００は、８１２において、短縮されたＰＢＣＨのミッドアンブルにおいて、６つのリソース・ブロックの中央の２つのリソース・ブロックを受信することを含みうる。方法８００は、８１４において、ＰＢＣＨによって伝送されたビットとして過負荷インジケーションを検出することを含みうる。方法８００は、８１６において、過負荷インジケーションに基づいて、ＰＢＣＨ巡回冗長検査（ＣＲＣ）をマスクすることを含みうる。方法８００は、８１８において、過負荷インジケーションに基づいて、ＰＢＣＨをスクランブルすることを含みうる。方法８００は、８２０において、ＰＢＣＨによって伝送されたサブ帯域毎のビットとして、過負荷インジケーションを検出することを含みうる。
【００７１】
図１０を参照して、別の実施形態では、方法８００は、８３０において、物理ハイブリッド自動反復要求インジケータ・チャネル（ＰＨＩＣＨ）で受信された過負荷インジケーションを検出することを含みうる。関連する態様において、ＰＨＩＣＨは、複数の近隣ノードからの異なる時間スロットでＴＤＭ変調されるか、複数の近隣ノードからの異なる周波数リソースでＦＤＭ変調されるか、複数の近隣ノードからの異なるウォルシュ符号でＣＤＭ変調されうる。方法８００は、８３２において、過負荷インジケーションを伝送するために、セル毎にＰＨＩＣＨリソースを確保することを含みうる。方法８００は、８３４において、規定された信号対雑音比ペネトレーションを達成するために、複数の近隣ノードにわたって直交しているＰＨＩＣＨでＰＨＩＣＨリソースを受信することを含みうる。方法８００は、８３６において、より高い処理ゲインで過負荷インジケーションを検出するために、複数のＰＨＩＣＨリソースを結合することを含みうる。方法８００は、８３８において、帯域幅の範囲を知らずに、近隣ノードによって使用されている帯域幅の中央部分を受信することを含みうる。方法８００は、８４０において、近隣ノードのセル識別子に応じているウォルシュ符号として、過負荷インジケーションを検出することを含みうる。
【００７２】
図１１を参照して、方法８００は、８４２において、過負荷インジケーションに割り当てられた複数のＰＨＩＣＨリソースを受信することによってＰＨＩＣＨを受信することを含みうる。方法８００は、８４４において、過負荷インジケーションを検出する前に、複数のＰＨＩＣＨリソースのログ尤度比を結合することを含みうる。方法８００は、８４６において、干渉除去とともに復号することにより、ＰＨＩＣＨを受信することを含みうる。方法８００は、８５０において、ＡＴにおいて過負荷インジケーションを受信することを含みうる。方法８００は、８６０において、フェムト・アクセス・ポイント、ホーム・ベース・ノード、およびクローズド加入者セルのうちの選択された１つを備える、小規模なベース・ノードにおいて、過負荷インジケーションを受信することを含みうる。方法８００は、８６２において、小規模なベース・ノードの有効通信範囲エリア内のＡＴに対して、近隣ノードにおける干渉レベルを低減するために、受信した過負荷インジケーションに基づいて送信電力スペクトル密度を調節するように指示することを含みうる。
【００７３】
本明細書に記載された実施形態の１または複数の態様によれば、アップリンク制御電力制御を実行するためのデバイスおよび装置が提供される。図１２に示すように、通信デバイスまたはプロセッサとして、あるいは、通信デバイス内で使用されるプロセッサまたは類似のデバイスとして構成されうる典型的な装置１２００が提供される。例えば、装置１２００は、ＡＴを備えうる。別の例では、装置１２００は、小規模なベース・ノード（例えば、フェムト・アクセス・ポイント、ホーム・ベース・ノード、クローズド加入者セル等のうちの選択された１つ）を備えうる。図示するように、装置１２００は、プロセッサ、ソフトウェア、またはこれらの組み合わせ（例えば、ファームウェア）によって実現される機能を表す機能ブロックを含みうる。
【００７４】
図１２に例示するように、装置１２００は、近隣ノードから、過負荷インジケーションのオーバ・ザ・エア・ブロードキャストを受信するための電子構成要素またはモジュール１２１０を備えうる。装置１２００は、近隣ノードにおける干渉レベル（例えばＩｏＴ）を低減するために、受信した過負荷インジケーションに基づいて送信電力制御を実行するための電子構成要素１２２０を備えうる。関連する態様では、電子構成要素１２２０は、送信電力スペクトル密度を調節するための電子構成要素１２２２を備えうる。装置１２００は、近隣ノードから、ＰＢＣＨで受信した過負荷インジケーションを検出するための電子構成要素１２３０を備えうる。あるいは、または、それに加えて、装置１２００は、ＰＨＩＣＨで受信した過負荷インジケーションを検出するための電子構成要素１２４０を備えうる。
【００７５】
装置１２００は、プロセッサではなく、通信ネットワーク・エンティティとして構成されている場合、オプションとして、少なくとも１つのプロセッサを有するプロセッサ構成要素１２０２を含みうる。この場合、プロセッサ１２０２は、バス１２０４または類似の通信カップリングによって、電子構成要素１２１０−１２４０と動作可能に通信しうる。プロセッサ１２０２は、構成要素１２１０−１２４０によって実行される処理または機能の開始およびスケジューリングを有効にしうる。
【００７６】
関連する態様では、装置１２００は、トランシーバ構成要素１２０６を含みうる。トランシーバ１２０６の代わりに、あるいは、トランシーバ１２０６と連携して、スタンド・アロン・トランシーバ、および／または、スタント・アロン送信機が使用されうる。関連するさらなる態様では、装置１２００は、オプションとして、例えばメモリ１２０８のように、情報を格納するための構成要素を含みうる。コンピュータ読取可能媒体またはメモリ構成要素１２０８が、バス１２０４等によって、装置１２００のその他の構成要素に動作可能に接続されうる。メモリ構成要素１２０８は、構成要素１２１０−１２４０、これらのサブ構成要素、またはプロセッサ１２０２、あるいは、本明細書で開示された方法の処理および挙動を有効にするためのコンピュータ読取可能命令群およびデータを格納するように適応されうる。メモリ構成要素１２０８は、電子構成要素１２１０−１２４０に関連付けられた機能を実行するための命令群を保持しうる。メモリ構成要素１２０８の外部にあると示されているが、構成要素１２１０−１２４０のうちの１または複数は、メモリ構成要素１２０８の内部に存在しうることが理解されるべきである。
【００７７】
本明細書に記載された実施形態の１または複数の態様によれば、過負荷インジケーションをブロードキャストするための方法が提供される。図１３を参照して、（フェムト・アクセス・ポイント、ホーム・ベース・ノード、クローズド加入者セル等のうちの選択された１つであり）所与のＡＴの近隣の、または、所与のＡＴにサービス提供する所与の小規模なベース・ノードである、マクロ基地局および／または小規模なベース・ノードにおいて実行されうる方法１３００が示される。方法１３００は、１３０２において、アップリンク上の干渉レベルが、しきい値を越えていると判定することを含みうる。１３０４では、過負荷インジケーションに基づいて近隣受信者が送信電力制御を実行するために、過負荷インジケーションのオーバ・ザ・エア・ブロードキャストが送信される。
【００７８】
図１４を参照して、１つの実施形態では、方法１３００は、１３１０において、ＰＢＣＨで過負荷インジケーションを送信することを含みうる。この方法１３００は、１３１２において、短縮されたＰＢＣＨのミッドアンブルにおいて、６つのリソース・ブロックの中央の２つのリソース・ブロックを送信することを含みうる。方法１３００は、１３１４において、ＰＢＣＨによって伝送されるビットとして過負荷インジケーションを送信することを含みうる。図１５を参照して、別の実施形態では、方法１３００は、１３２０において、ＰＨＩＣＨで過負荷インジケーションを送信することを含みうる。関連する態様では、ＰＨＩＣＨは、複数の近隣ノードからの異なる時間スロットでＴＤＭ変調されるか、複数の近隣ノードからの異なる周波数リソースでＦＤＭ変調されるか、複数の近隣ノードからの異なるウォルシュ符号でＣＤＭ変調されうる。方法１３００は、１３２２において、規定された信号対雑音比ペネトレーションを達成するために、複数の近隣ノードにわたって直交しているＰＨＩＣＨでＰＨＩＣＨリソースを送信することを含みうる。方法１３００は、１３２４において、より高い処理ゲインのために、複数のＰＨＩＣＨリソースに過負荷インジケーションを配信することを含みうる。方法１３００は、１３２６において、帯域幅の範囲を知らずに、受信者による受信のために使用されている帯域幅の中央部分で、過負荷インジケーションを送信することを含みうる。方法１３００は、１３２８において、過負荷インジケーションをセル識別子に応じたウォルシュ符号として送信することを含みうる。
【００７９】
本明細書に記載された実施形態のうちの１または複数の態様によれば、過負荷インジケーションをブロードキャストするためのデバイスおよび装置が提供される。図１６に示すように、通信デバイスとして、または、通信デバイス内で使用するためのプロセッサまたは類似のデバイスとして構成された典型的な装置１６００が提供される。例えば、装置１６００は、マクロ基地局および／または小規模なベース・ノードを備えうる。図示するように、装置１６００は、プロセッサ、ソフトウェア、またはこれらの組み合わせ（例えば、ファームウェア）によって実現される機能を表す機能ブロックを含みうる。
【００８０】
図１６に例示するように、装置１６００は、アップリンク上の干渉レベル（例えばＩｏＴ）がしきい値を越えていることを判定するための電子構成要素またはモジュール１６１０を備えうる。装置１６００は、過負荷インジケーションに基づいて近隣受信者が送信電力制御を実行するために、過負荷インジケーションのオーバ・ザ・エア・ブロードキャストを送信するための電子構成要素１６２０を備えうる。関連する態様では、装置１６００は、ＰＢＣＨで過負荷インジケーションを送信するための電子構成要素１６３０を備えうる。あるいは、または、それに加えて、装置１６００は、ＰＨＩＣＨで過負荷インジケーションを送信するための電子構成要素１６４０を備えうる。
【００８１】
装置１６００は、プロセッサではなく、通信ネットワーク・エンティティとして構成されている場合、オプションとして、少なくとも１つのプロセッサを有するプロセッサ構成要素１６０２を含みうる。この場合、プロセッサ１６０２は、バス１６０４または類似の通信カップリングによって、構成要素１６１０−１６４０と動作可能に通信しうる。プロセッサ１６０２は、構成要素１６１０−１６４０によって実行される処理または機能の開始およびスケジューリングを有効にしうる。
【００８２】
関連する態様では、装置１６００は、トランシーバ構成要素１６０６を含みうる。トランシーバ１６０６の代わりに、あるいは、トランシーバ１６０２と連携して、スタンド・アロン・トランシーバ、および／または、スタント・アロン送信機が使用されうる。関連するさらなる態様では、装置１６００は、オプションとして、例えばメモリ１６０８のように、情報を格納するための構成要素を含みうる。コンピュータ読取可能媒体またはメモリ構成要素１６０８が、バス１６０４等によって、装置１６００のその他の構成要素に動作可能に接続されうる。メモリ構成要素１６０８は、構成要素１６１０−１６４０、これらのサブ構成要素、またはプロセッサ１６０２、あるいは、本明細書で開示された方法の処理および挙動を有効にするためのコンピュータ読取可能命令およびデータを格納するように適応されうる。メモリ構成要素１６０８は、電子構成要素１６１０−１６４０に関連付けられた機能を実行するための命令群を保持しうる。メモリ構成要素１６０８の外部にあると示されているが、構成要素１６１０−１６４０のうちの１または複数は、メモリ構成要素１６０８の内部に存在しうることが理解されるべきである。
【００８３】
当業者であればさらに、本明細書で開示された態様に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【００８４】
本明細書で使用されるように、用語「構成要素」、「モジュール」、「システム」等は、ハードウェア、ファームウェア、ハードウェアとソフトウェアとの組み合わせ、ソフトウェア、または実行中のソフトウェアの何れかであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、サーバ上で実行中のアプリケーションと、サーバとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。
【００８５】
「典型的である」という単語は「例、事例、あるいは実例として役立つ」ことを意味するために本明細書で使用される。本明細書で「典型的」と記載された任意の態様または設計は、必ずしも、他の態様または設計に対して好適であるとも、有利であるとも解釈される必要はない。
【００８６】
さまざまな態様または特徴が、多くのデバイス、構成要素、モジュール等を含むシステムの観点から示されるだろう。さまざまなシステムが、追加の構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。本明細書に開示されたさまざまな態様は、タッチ・スクリーン・ディスプレイ技術および／またはマウス−キーボード・タイプのインタフェースを利用するデバイスを含む電子デバイス上で実行されうる。このようなデバイスの例は、コンピュータ（デスクトップおよびモバイル）、スマート・フォン、携帯情報端末（ＰＤＡ）、および有線および無線の両方のその他の電子デバイスを含む。
【００８７】
さらに、本明細書で開示された態様に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代わりに、従来技術によるプロセッサ、コントローラ、マイクロコントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８８】
１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能媒体上に格納されるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、ＤＳＬ、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようにディスク（ｄｉｓｋおよびｄｉｓｃ）は、コンパクト・ディスク（ＣＤ）、レーザ・ディスク、光ディスク、デジタル・バーサタイル・ディスク（ＤＶＤ）、フロッピー（登録商標）ディスク、Ｂｌｕ−ｒａｙ（登録商標）ディスクを含む。ここで、ｄｉｓｋは通常、データを磁気的に再生し、ｄｉｓｃは、レーザを用いてデータを光学的に再生する。上記の組み合わせもまた、コンピュータ読取可能媒体の範囲内に含まれるべきである。
【００８９】
本明細書で開示された態様に関連して記述された方法やアルゴリズムのステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【００９０】
開示された態様の上記説明は、いかなる当業者であっても、本開示を製造または使用できるように適用される。これらの態様へのさまざまな変形は、当業者に容易に明らかであって、本明細書で定義された一般原理は、本開示の精神または範囲から逸脱することなく、他の実施形態に適用されうる。このように、本開示は、本明細書で示された実施形態に限定されるものではなく、本明細書で開示された原理および新規な特徴に一致した最も広い範囲に相当することが意図されている。
【００９１】
前述された典型的なシステムを考慮して、開示された主題にしたがって実現される方法が、さまざまなフロー図を参照して記述された。説明を単純にする目的のために、これら方法は、一連のブロックとして図示および説明されているが、権利主張される主題は、これらブロックの順序によって限定されず、いくつかのブロックは、本明細書に図示および記載されたものと別の順序で、および／または、他のブロックと同時に生じうることが理解および認識されるべきである。さらに、本明細書に記載された方法を実施するために、必ずしも例示されたすべてのブロックが必要とされる訳ではない。それに加えて、本明細書で開示される方法は、これら方法をコンピュータへ伝送および転送することを容易にするために、製造物品に格納されることが可能であることが認識されるべきである。本明細書で使用される用語である製造物品は、任意のコンピュータ読取可能デバイス、キャリア、または媒体からアクセスすることが可能なコンピュータ・プログラムを含むことが意図される。
【００９２】
本明細書において参照によって組み込まれるべきであると言われるいずれの特許、出版物、またはその他の開示資料の全体または一部は、本明細書において、組み込まれた資料が、既存の定義、命令、または、本開示で述べられたその他の開示資料とコンフリクトしない程度に組み込まれていることが認識されるべきである。それゆえ、必要な程度まで、本明細書に明確に記載された開示は、参照によって本明細書に組み込まれたコンフリクトするあらゆる資料の代わりになる。本明細書において参照によって組み込まれると言われているものの既存の定義、記述、または、本明細書に記載されたその他の開示資料とコンフリクトする何れの資料またはその一部は、組み込まれた資料と既存の開示資料との間でのコンフリクトを引き起こさないという程度まで組み込まれるだろう。
【図１】
2014030208.tif 000003
【図２】
2014030208.tif 000004
【図３】
2014030208.tif 000005
【図４】
2014030208.tif 000006
【図５】
2014030208.tif 000007
【図６】
2014030208.tif 000008
【図７】
2014030208.tif 000009
【図８】
2014030208.tif 000010
【図９】
2014030208.tif 000011
【図１０】
2014030208.tif 000012
【図１１】
2014030208.tif 000013
【図１２】
2014030208.tif 000014
【図１３】
2014030208.tif 000015
【図１４】
2014030208.tif 000016
【図１５】
2014030208.tif 000017
【図１６】
2014030208.tif 000018
【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
アップリンク送信電力制御を実行する方法であって、
近隣ノードから、過負荷インジケーションのオーバ・ザ・エア・ブロードキャストを受信することと、
前記近隣ノードから、物理ブロードキャスト・チャネル（ＰＢＣＨ）で受信した前記過負荷インジケーションを検出することと、
前記近隣ノードにおける干渉レベルを低減するために、前記受信した過負荷インジケーションに基づいて、送信電力制御を実行することと、
を備え、
前記受信することは、短縮されたＰＢＣＨのミッドアンブルにおいて、６つのリソース・ブロック内の中央の２つのリソース・ブロックを受信することを備える、
方法。
【請求項２】
前記送信電力制御を実行することは、送信電力スペクトル密度を調節することを備える、請求項１に記載の方法。
【請求項３】
前記干渉レベルは、干渉オーバ・サーマル（ＩｏＴ）雑音を備える、請求項１に記載の方法。
【請求項４】
前記過負荷インジケーションを、前記ＰＢＣＨによって伝送されたビットとして検出することをさらに備える、請求項１に記載の方法。
【請求項５】
前記受信することは、アクセス端末において前記過負荷インジケーションを受信することを備える、請求項１に記載の方法。
【請求項６】
前記受信することは、フェムト・アクセス・ポイント、ホーム・ベース・ノード、およびクローズド加入者セルのうちの選択された１つを備える、小規模なベース・ノードにおいて、前記過負荷インジケーションを受信することを備える、請求項１に記載の方法。
【請求項７】
前記実行することは、前記近隣ノードにおける干渉レベルを低減するために、前記小規模なベース・ノードの有効通信範囲エリア内のアクセス端末に対して、前記受信した過負荷インジケーションに基づいて、送信電力スペクトル密度を調節するように指示することを備える、請求項５に記載の方法。
【請求項８】
アップリンク送信電力制御を実行する方法であって、
近隣ノードから、過負荷インジケーションのオーバ・ザ・エア・ブロードキャストを受信することと、
前記近隣ノードから、物理ブロードキャスト・チャネル（ＰＢＣＨ）で受信した前記過負荷インジケーションを検出することと、
前記過負荷インジケーションに基づいて、ＰＢＣＨ巡回冗長検査（ＣＲＣ）をマスクすることと、
前記近隣ノードにおける干渉レベルを低減するために、前記受信した過負荷インジケーションに基づいて、送信電力制御を実行することと、
を備える方法。
【請求項９】
アップリンク送信電力制御を実行する方法であって、
近隣ノードから、過負荷インジケーションのオーバ・ザ・エア・ブロードキャストを受信することと、
前記近隣ノードから、物理ブロードキャスト・チャネル（ＰＢＣＨ）で受信した前記過負荷インジケーションを検出することと、
前記過負荷インジケーションに基づいて、前記ＰＢＣＨをスクランブルすることと、
前記近隣ノードにおける干渉レベルを低減するために、前記受信した過負荷インジケーションに基づいて、送信電力制御を実行することと、
を備える方法。
【請求項１０】
アップリンク送信電力制御を実行する方法であって、
近隣ノードから、過負荷インジケーションのオーバ・ザ・エア・ブロードキャストを受信することと、
前記ＰＢＣＨによって伝送されたサブ帯域毎のビットとして、前記近隣ノードから、物理ブロードキャスト・チャネル（ＰＢＣＨ）で受信した前記過負荷インジケーションを検出することと、
前記近隣ノードにおける干渉レベルを低減するために、前記受信した過負荷インジケーションに基づいて、送信電力制御を実行することと、
を備える方法。
【請求項１１】
アップリンク送信電力制御を実行する方法であって、
近隣ノードから、過負荷インジケーションのオーバ・ザ・エア・ブロードキャストを受信することと、
物理ハイブリッド自動反復要求インジケータ・チャネル（ＰＨＩＣＨ）で受信した前記過負荷インジケーションを検出することと、
前記過負荷インジケーションを伝送するために、セル毎にＰＨＩＣＨリソースを確保することと、
前記近隣ノードにおける干渉レベルを低減するために、前記受信した過負荷インジケーションに基づいて、送信電力制御を実行することと、
を備える方法。
【請求項１２】
規定された信号対雑音比ペネトレーションを達成するために、複数の近隣ノードにわたって直交している前記ＰＨＩＣＨで前記ＰＨＩＣＨリソースを受信することをさらに備える、請求項１１に記載の方法。
【請求項１３】
前記過負荷インジケーションを検出するために、複数のＰＨＩＣＨリソースを結合することをさらに備える、請求項１１に記載の方法。
【請求項１４】
前記近隣ノードによって使用される帯域幅の中央部分を受信することをさらに備える、請求項１１に記載の方法。
【請求項１５】
前記近隣ノードのセル識別子に応じているウォルシュ符号として、前記過負荷インジケーションを検出することをさらに備える、請求項１１に記載の方法。
【請求項１６】
前記ＰＨＩＣＨは、複数の近隣ノードからの異なる時間スロットにおいて時分割多重化（ＴＤＭ）変調される、請求項１１に記載の方法。
【請求項１７】
前記ＰＨＩＣＨは、複数の近隣ノードからの異なる周波数リソースにおいて周波数分割多重化（ＦＤＭ）変調される、請求項１１に記載の方法。
【請求項１８】
前記ＰＨＩＣＨは、複数の近隣ノードからの異なるウォルシュ符号で符号分割多重化（ＣＤＭ）変調される、請求項１１に記載の方法。
【請求項１９】
前記過負荷インジケーションに割り当てられた複数のＰＨＩＣＨリソースを受信することによって前記ＰＨＩＣＨを受信することと、
前記過負荷インジケーションを検出する前に、前記複数のＰＨＩＣＨリソースのログ尤度比を結合することと
をさらに備える、請求項１１に記載の方法。
【請求項２０】
干渉除去とともに復号することにより、前記ＰＨＩＣＨを受信することをさらに備える、請求項１１に記載の方法。
【請求項２１】
近隣ノードから、過負荷インジケーションのオーバ・ザ・エア・ブロードキャストを受信し、
前記近隣ノードから、物理ブロードキャスト・チャネル（ＰＢＣＨ）で受信した前記過負荷インジケーションを検出し、
前記近隣ノードにおける干渉レベルを低減するために、前記受信した過負荷インジケーションに基づいて、送信電力制御を実行する、
のためのコードを有し、
受信することは、短縮されたＰＢＣＨのミッドアンブルにおいて、６つのリソース・ブロック内の中央の２つのリソース・ブロックを受信することを備える、
コンピュータ読取可能な記憶媒体。
【請求項２２】
送信電力スペクトル密度を調節するためのコードをさらに有する、請求項２１に記載のコンピュータ読取可能な記憶媒体。
【請求項２３】
前記干渉レベルは、干渉オーバ・サーマル（ＩｏＴ）雑音を備える、請求項２１に記載のコンピュータ読取可能な記憶媒体。
【請求項２４】
近隣ノードから、過負荷インジケーションのオーバ・ザ・エア・ブロードキャストを受信し、
物理ハイブリッド自動反復要求インジケータ・チャネル（ＰＨＩＣＨ）で受信した前記過負荷インジケーションを検出し、
前記過負荷インジケーションを伝送するために、セル毎にＰＨＩＣＨリソースを確保し、
前記近隣ノードにおける干渉レベルを低減するために、前記受信した過負荷インジケーションに基づいて、送信電力制御を実行する、
ためのコードを有するコンピュータ読取可能な記憶媒体。
【請求項２５】
アップリンク送信電力制御を実行するための装置であって、
近隣ノードから、過負荷インジケーションのオーバ・ザ・エア・ブロードキャストを受信し、
前記近隣ノードから、物理ブロードキャスト・チャネル（ＰＢＣＨ）で受信した前記過負荷インジケーションを検出し、
前記近隣ノードにおける干渉レベルを低減するために、前記受信した過負荷インジケーションに基づいて、送信電力制御を実行する、
ように構成された少なくとも１つのプロセッサを備え、
受信することは、短縮されたＰＢＣＨのミッドアンブルにおいて、６つのリソース・ブロック内の中央の２つのリソース・ブロックを受信することを備える、
装置。
【請求項２６】
前記少なくとも１つのプロセッサは、送信電力スペクトル密度を調節することにより、前記送信電力制御を実行する、請求項２５に記載の装置。
【請求項２７】
前記干渉レベルは、干渉オーバ・サーマル（ＩｏＴ）雑音を備える、請求項２５に記載の装置。
【請求項２８】
アップリンク送信電力制御を実行するための装置であって、
近隣ノードから、過負荷インジケーションのオーバ・ザ・エア・ブロードキャストを受信し、
物理ハイブリッド自動反復要求インジケータ・チャネル（ＰＨＩＣＨ）で受信した前記過負荷インジケーションを検出し、
前記過負荷インジケーションを伝送するために、セル毎にＰＨＩＣＨリソースを確保し、
前記近隣ノードにおける干渉レベルを低減するために、前記受信した過負荷インジケーションに基づいて、送信電力制御を実行する、
ように構成された少なくとも１つのプロセッサ、を備える装置。
【請求項２９】
アップリンク送信電力制御を実行するための装置であって、
近隣ノードから、過負荷インジケーションのオーバ・ザ・エア・ブロードキャストを受信する手段と、
前記近隣ノードから、物理ブロードキャスト・チャネル（ＰＢＣＨ）で受信した前記過負荷インジケーションを検出する手段と、
前記近隣ノードにおける干渉レベルを低減するために、前記受信した過負荷インジケーションに基づいて、送信電力制御を実行する手段と、
を備え、
受信することは、短縮されたＰＢＣＨのミッドアンブルにおいて、６つのリソース・ブロック内の中央の２つのリソース・ブロックを受信することを備える、
装置。
【請求項３０】
送信電力スペクトル密度を調節する手段をさらに備える、請求項２９に記載の装置。
【請求項３１】
前記干渉レベルは、干渉オーバ・サーマル（ＩｏＴ）雑音を備える、請求項２９に記載の装置。
【請求項３２】
アップリンク送信電力制御を実行するための装置であって、
近隣ノードから、過負荷インジケーションのオーバ・ザ・エア・ブロードキャストを受信する手段と、
物理ハイブリッド自動反復要求インジケータ・チャネル（ＰＨＩＣＨ）で受信した前記過負荷インジケーションを検出する手段と、
前記過負荷インジケーションを伝送するために、セル毎にＰＨＩＣＨリソースを確保する手段と、
前記近隣ノードにおける干渉レベルを低減するために、前記受信した過負荷インジケーションに基づいて、送信電力制御を実行する手段と、
を備える装置。
【請求項３３】
過負荷インジケーションをブロードキャストするための方法であって、
アップリンクにおける干渉レベルが、しきい値を越えていることを判定することと、
前記過負荷インジケーションに基づいて近隣受信者が送信電力制御を実行するために、物理ブロードキャスト・チャネル（ＰＢＣＨ）で前記過負荷インジケーションのオーバ・ザ・エア・ブロードキャストを送信することと、
を備え、
前記送信することは、短縮されたＰＢＣＨのミッドアンブルにおいて、６つのリソース・ブロックの中央の２つのリソース・ブロックを送信することを備える、
方法。
【請求項３４】
前記干渉レベルは、干渉オーバ・サーマル（ＩｏＴ）雑音を備える、請求項３３に記載の方法。
【請求項３５】
前記ＰＢＣＨによって伝送されるビットとして前記過負荷インジケーションを送信することをさらに備える、請求項３３に記載の方法。
【請求項３６】
過負荷インジケーションをブロードキャストするための方法であって、
アップリンクにおける干渉レベルが、しきい値を越えていることを判定することと、
前記過負荷インジケーションに基づいて近隣受信者が送信電力制御を実行するために、物理ハイブリッド自動反復要求インジケータ・チャネル（ＰＨＩＣＨ）で前記過負荷インジケーションのオーバ・ザ・エア・ブロードキャストを送信することと、
を備え、
前記送信することは、規定された信号対雑音比ペネトレーションを達成するために、複数の近隣ノードにわたって直交しているＰＨＩＣＨでＰＨＩＣＨリソースを送信することを備える、
方法。
【請求項３７】
前記ＰＨＩＣＨは、複数の近隣ノードからの異なる時間スロットにおいて時分割多重化（ＴＤＭ）変調される、請求項３６に記載の方法。
【請求項３８】
前記ＰＨＩＣＨは、複数の近隣ノードからの異なる周波数リソースにおいて周波数分割多重化（ＦＤＭ）変調される、請求項３６に記載の方法。
【請求項３９】
前記ＰＨＩＣＨは、複数の近隣ノードからの異なるウォルシュ符号で符号分割多重化（ＣＤＭ）変調される、請求項３６に記載の方法。
【請求項４０】
過負荷インジケーションをブロードキャストするための方法であって、
アップリンクにおける干渉レベルが、しきい値を越えていることを判定することと、
前記過負荷インジケーションに基づいて近隣受信者が送信電力制御を実行するために、物理ハイブリッド自動反復要求インジケータ・チャネル（ＰＨＩＣＨ）で前記過負荷インジケーションのオーバ・ザ・エア・ブロードキャストを送信することと、
前記ＰＨＩＣＨで複数のＰＨＩＣＨリソースにわたって前記過負荷インジケーションを配信することと、
を備える方法。
【請求項４１】
過負荷インジケーションをブロードキャストするための方法であって、
アップリンクにおける干渉レベルが、しきい値を越えていることを判定することと、
前記過負荷インジケーションに基づいて近隣受信者が送信電力制御を実行するために、物理ハイブリッド自動反復要求インジケータ・チャネル（ＰＨＩＣＨ）で前記過負荷インジケーションのオーバ・ザ・エア・ブロードキャストを送信することと、
を備え、
前記送信することは、受信者による受信のために使用されている帯域幅の中央部分で、前記過負荷インジケーションを送信することを備える、
方法。
【請求項４２】
過負荷インジケーションをブロードキャストするための方法であって、
アップリンクにおける干渉レベルが、しきい値を越えていることを判定することと、
前記過負荷インジケーションに基づいて近隣受信者が送信電力制御を実行するために、物理ハイブリッド自動反復要求インジケータ・チャネル（ＰＨＩＣＨ）で前記過負荷インジケーションのオーバ・ザ・エア・ブロードキャストを送信することと、
を備え、
前記送信することは、前記過負荷インジケーションをセル識別子に応じたウォルシュ符号として送信することを備える、
方法。
【請求項４３】
過負荷インジケーションをブロードキャストするためのコンピュータ読取可能な記憶媒体であって、
アップリンクにおける干渉レベルが、しきい値を越えていることを判定し、
前記過負荷インジケーションに基づいて近隣受信者が送信電力制御を実行するために、物理ブロードキャスト・チャネル（ＰＢＣＨ）で前記過負荷インジケーションのオーバ・ザ・エア・ブロードキャストを送信する、
のためのコードを有し、
送信することは、短縮されたＰＢＣＨのミッドアンブルにおいて、６つのリソース・ブロックの中央の２つのリソース・ブロックを送信することを備える、
コンピュータ読取可能な記憶媒体。
【請求項４４】
前記干渉レベルは、干渉オーバ・サーマル（ＩｏＴ）雑音を備える、請求項４３に記載のコンピュータ読取可能な記憶媒体。
【請求項４５】
過負荷インジケーションをブロードキャストするためのコンピュータ読取可能な記憶媒体であって、
アップリンクにおける干渉レベルが、しきい値を越えていることを判定し、
前記過負荷インジケーションに基づいて近隣受信者が送信電力制御を実行するために、物理ハイブリッド自動反復要求インジケータ・チャネル（ＰＨＩＣＨ）で、前記過負荷インジケーションのオーバ・ザ・エア・ブロードキャストを送信する、
ためのコードを有し、
送信することは、規定された信号対雑音比ペネトレーションを達成するために、複数の近隣ノードにわたって直交しているＰＨＩＣＨでＰＨＩＣＨリソースを送信することを備える、
コンピュータ読取可能な記憶媒体。
【請求項４６】
過負荷インジケーションをブロードキャストするための装置であって、
アップリンク上の干渉レベルが、しきい値を越えていると判定し、
前記過負荷インジケーションに基づいて近隣受信者が送信電力制御を実行するために、送信機に対して、物理ブロードキャスト・チャネル（ＰＢＣＨ）で前記過負荷インジケーションのオーバ・ザ・エア・ブロードキャストを送信するように指示する、
ように構成された少なくとも１つのプロセッサを備え、
送信することは、短縮されたＰＢＣＨのミッドアンブルにおいて、６つのリソース・ブロックの中央の２つのリソース・ブロックを送信することを備える、
装置。
【請求項４７】
前記干渉レベルは、干渉オーバ・サーマル（ＩｏＴ）雑音を備える、請求項４６に記載の装置。
【請求項４８】
過負荷インジケーションをブロードキャストするための装置であって、
アップリンク上の干渉レベルが、しきい値を越えていると判定し、
送信機に対して、前記過負荷インジケーションに基づいて近隣受信者が送信電力制御を実行するために、物理ハイブリッド自動反復要求インジケータ・チャネル（ＰＨＩＣＨ）で前記過負荷インジケーションのオーバ・ザ・エア・ブロードキャストを送信するように指示する、
ように構成された少なくとも１つのプロセッサを備え、
送信することは、規定された信号対雑音比ペネトレーションを達成するために、複数の近隣ノードにわたって直交しているＰＨＩＣＨでＰＨＩＣＨリソースを送信することを備える、
装置。
【請求項４９】
過負荷インジケーションをブロードキャストするための装置であって、
アップリンクにおける干渉レベルが、しきい値を越えていることを判定する手段と、
前記過負荷インジケーションに基づいて近隣受信者が送信電力制御を実行するために、物理ブロードキャスト・チャネル（ＰＢＣＨ）で前記過負荷インジケーションのオーバ・ザ・エア・ブロードキャストを送信する手段と、
を備え、
送信することは、短縮されたＰＢＣＨのミッドアンブルにおいて、６つのリソース・ブロックの中央の２つのリソース・ブロックを送信することを備える、
装置。
【請求項５０】
前記干渉レベルは、干渉オーバ・サーマル（ＩｏＴ）雑音を備える、請求項４９に記載の装置。
【請求項５１】
過負荷インジケーションをブロードキャストするための装置であって、
アップリンクにおける干渉レベルが、しきい値を越えていることを判定する手段と、
前記過負荷インジケーションに基づいて近隣受信者が送信電力制御を実行するために、物理ハイブリッド自動反復要求インジケータ・チャネル（ＰＨＩＣＨ）で前記過負荷インジケーションのオーバ・ザ・エア・ブロードキャストを送信する手段と、
を備え、
送信することは、規定された信号対雑音比ペネトレーションを達成するために、複数の近隣ノードにわたって直交しているＰＨＩＣＨでＰＨＩＣＨリソースを送信することを備える、
装置。
【手続補正２】
【補正対象書類名】明細書
【補正対象項目名】００９２
【補正方法】変更
【補正の内容】
【００９２】
本明細書において参照によって組み込まれるべきであると言われるいずれの特許、出版物、またはその他の開示資料の全体または一部は、本明細書において、組み込まれた資料が、既存の定義、命令、または、本開示で述べられたその他の開示資料とコンフリクトしない程度に組み込まれていることが認識されるべきである。それゆえ、必要な程度まで、本明細書に明確に記載された開示は、参照によって本明細書に組み込まれたコンフリクトするあらゆる資料の代わりになる。本明細書において参照によって組み込まれると言われているものの既存の定義、記述、または、本明細書に記載されたその他の開示資料とコンフリクトする何れの資料またはその一部は、組み込まれた資料と既存の開示資料との間でのコンフリクトを引き起こさないという程度まで組み込まれるだろう。
以下に、本願出願の当初の特許請求の範囲に記載された発明を付記する。
［Ｃ１］
アップリンク送信電力制御を実行する方法であって、
近隣ノードから、過負荷インジケーションのオーバ・ザ・エア・ブロードキャストを受信することと、
前記近隣ノードにおける干渉レベルを低減するために、前記受信した過負荷インジケーションに基づいて、送信電力制御を実行することと、
を備える方法。
［Ｃ２］
前記送信電力制御を実行することは、送信電力スペクトル密度を調節することを備える、Ｃ１に記載の方法。
［Ｃ３］
前記干渉レベルは、干渉オーバ・サーマル（ＩｏＴ）雑音を備える、Ｃ１に記載の方法。
［Ｃ４］
前記近隣ノードから、物理ブロードキャスト・チャネル（ＰＢＣＨ）で受信した前記過負荷インジケーションを検出することをさらに備える、Ｃ１に記載の方法。
［Ｃ５］
短縮されたＰＢＣＨのミッドアンブルにおいて、６つのリソース・ブロック内の中央の２つのリソース・ブロックを受信することをさらに備える、Ｃ４に記載の方法。
［Ｃ６］
前記過負荷インジケーションを、前記ＰＢＣＨによって伝送されたビットとして検出することをさらに備える、Ｃ４に記載の方法。
［Ｃ７］
前記過負荷インジケーションに基づいて、ＰＢＣＨ巡回冗長検査（ＣＲＣ）をマスクすることをさらに備える、Ｃ４に記載の方法。
［Ｃ８］
前記過負荷インジケーションに基づいて、前記ＰＢＣＨをスクランブルすることをさらに備える、Ｃ４に記載の方法。
［Ｃ９］
前記ＰＢＣＨによって伝送されたサブ帯域毎のビットとして、前記過負荷インジケーションを検出することをさらに備える、Ｃ４に記載の方法。
［Ｃ１０］
物理ハイブリッド自動反復要求インジケータ・チャネル（ＰＨＩＣＨ）で受信した前記過負荷インジケーションを検出することをさらに備える、Ｃ１に記載の方法。
［Ｃ１１］
前記過負荷インジケーションを伝送するために、セル毎にＰＨＩＣＨリソースを確保することをさらに備える、Ｃ１０に記載の方法。
［Ｃ１２］
規定された信号対雑音比ペネトレーションを達成するために、複数の近隣ノードにわたって直交しているＰＨＩＣＨでＰＨＩＣＨリソースを受信することをさらに備える、Ｃ１１に記載の方法。
［Ｃ１３］
前記過負荷インジケーションを検出するために、複数のＰＨＩＣＨリソースを結合することをさらに備える、Ｃ１１に記載の方法。
［Ｃ１４］
前記近隣ノードによって使用される帯域幅の中央部分を受信することをさらに備える、Ｃ１１に記載の方法。
［Ｃ１５］
前記近隣ノードのセル識別子に応じているウォルシュ符号として、前記過負荷インジケーションを検出することをさらに備える、Ｃ１１に記載の方法。
［Ｃ１６］
前記ＰＨＩＣＨは、複数の近隣ノードからの異なる時間スロットにおいて時分割多重化（ＴＤＭ）変調される、Ｃ１１に記載の方法。
［Ｃ１７］
前記ＰＨＩＣＨは、複数の近隣ノードからの異なる周波数リソースにおいて周波数分割多重化（ＦＤＭ）変調される、Ｃ１１に記載の方法。
［Ｃ１８］
前記ＰＨＩＣＨは、複数の近隣ノードからの異なるウォルシュ符号で符号分割多重化（ＣＤＭ）変調される、Ｃ１１に記載の方法。
［Ｃ１９］
前記過負荷インジケーションに割り当てられた複数のＰＨＩＣＨリソースを受信することによって前記ＰＨＩＣＨを受信することと、
前記過負荷インジケーションを検出する前に、複数のＰＨＩＣＨリソースのログ尤度比を結合することと
をさらに備える、Ｃ１１に記載の方法。
［Ｃ２０］
干渉除去とともに復号することにより、前記ＰＨＩＣＨを受信することをさらに備える、Ｃ１１に記載の方法。
［Ｃ２１］
前記受信することは、アクセス端末において前記過負荷インジケーションを受信することを備える、Ｃ１に記載の方法。
［Ｃ２２］
前記受信することは、フェムト・アクセス・ポイント、ホーム・ベース・ノード、およびクローズド加入者セルのうちの選択された１つを備える、小規模なベース・ノードにおいて、前記過負荷インジケーションを受信することを備える、Ｃ１に記載の方法。
［Ｃ２３］
前記実行することは、前記近隣ノードにおける干渉レベルを低減するために、前記小規模なベース・ノードの有効通信範囲エリア内のアクセス端末に対して、前記受信した過負荷インジケーションに基づいて、送信電力スペクトル密度を調節するように指示することを備える、Ｃ２２に記載の方法。
［Ｃ２４］
コンピュータ・プログラム製品であって、
近隣ノードから、過負荷インジケーションのオーバ・ザ・エア・ブロードキャストを受信し、
前記近隣ノードにおける干渉レベルを低減するために、前記受信した過負荷インジケーションに基づいて、送信電力制御を実行する、
のためのコードを有するコンピュータ読取可能媒体を備える、コンピュータ・プログラム製品。
［Ｃ２５］
前記コンピュータ読取可能媒体はさらに、送信電力スペクトル密度を調節するためのコードを有する、Ｃ２４に記載のコンピュータ・プログラム製品。
［Ｃ２６］
前記干渉レベルは、干渉オーバ・サーマル（ＩｏＴ）雑音を備える、Ｃ２４に記載のコンピュータ・プログラム製品。
［Ｃ２７］
前記コンピュータ読取可能媒体はさらに、前記近隣ノードから、物理ブロードキャスト・チャネル（ＰＢＣＨ）で受信した前記過負荷インジケーションを検出するためのコードを有する、Ｃ２４に記載のコンピュータ・プログラム製品。
［Ｃ２８］
前記コンピュータ読取可能媒体はさらに、物理ハイブリッド自動反復要求インジケータ・チャネル（ＰＨＩＣＨ）で受信した前記過負荷インジケーションを検出するためのコードを有する、Ｃ２４に記載のコンピュータ・プログラム製品。
［Ｃ２９］
アップリンク送信電力制御を実行するための装置であって、
近隣ノードから、過負荷インジケーションのオーバ・ザ・エア・ブロードキャストを受信し、
前記近隣ノードにおける干渉レベルを低減するために、前記受信した過負荷インジケーションに基づいて、送信電力制御を実行する、
ように構成された少なくとも１つのプロセッサを備える、装置。
［Ｃ３０］
前記少なくとも１つのプロセッサは、送信電力スペクトル密度を調節することにより、前記送信電力制御を実行する、Ｃ２９に記載の装置。
［Ｃ３１］
前記干渉レベルは、干渉オーバ・サーマル（ＩｏＴ）雑音を備える、Ｃ２９に記載の装置。
［Ｃ３２］
前記少なくとも１つのプロセッサは、前記近隣ノードから、物理ブロードキャスト・チャネル（ＰＢＣＨ）で受信した前記過負荷インジケーションを検出する、Ｃ２９に記載の装置。
［Ｃ３３］
前記少なくとも１つのプロセッサは、物理ハイブリッド自動反復要求インジケータ・チャネル（ＰＨＩＣＨ）で受信した前記過負荷インジケーションを検出する、Ｃ２９に記載の装置。
［Ｃ３４］
アップリンク送信電力制御を実行するための装置であって、
近隣ノードから、過負荷インジケーションのオーバ・ザ・エア・ブロードキャストを受信する手段と、
前記近隣ノードにおける干渉レベルを低減するために、前記受信した過負荷インジケーションに基づいて、送信電力制御を実行する手段と、
を備える装置。
［Ｃ３５］
送信電力スペクトル密度を調節する手段をさらに備える、Ｃ３４に記載の装置。
［Ｃ３６］
前記干渉レベルは、干渉オーバ・サーマル（ＩｏＴ）雑音を備える、Ｃ３４に記載の装置。
［Ｃ３７］
前記近隣ノードから、物理ブロードキャスト・チャネル（ＰＢＣＨ）で受信した前記過負荷インジケーションを検出する手段をさらに備える、Ｃ３４に記載の装置。
［Ｃ３８］
物理ハイブリッド自動反復要求インジケータ・チャネル（ＰＨＩＣＨ）で受信した前記過負荷インジケーションを検出する手段をさらに備える、Ｃ３４に記載の装置。
［Ｃ３９］
過負荷インジケーションをブロードキャストするための方法であって、
アップリンクにおける干渉レベルが、しきい値を越えていることを判定することと、
前記過負荷インジケーションに基づいて近隣受信者が送信電力制御を実行するために、前記過負荷インジケーションのオーバ・ザ・エア・ブロードキャストを送信することと、
を備える方法。
［Ｃ４０］
前記干渉レベルは、干渉オーバ・サーマル（ＩｏＴ）雑音を備える、Ｃ３９に記載の方法。
［Ｃ４１］
前記送信することは、物理ブロードキャスト・チャネル（ＰＢＣＨ）で前記過負荷インジケーションを送信することを備える、Ｃ３９に記載の方法。
［Ｃ４２］
短縮されたＰＢＣＨのミッドアンブルにおいて、６つのリソース・ブロックの中央の２つのリソース・ブロックを送信することをさらに備える、Ｃ４１に記載の方法。
［Ｃ４３］
前記ＰＢＣＨによって伝送されるビットとして前記過負荷インジケーションを送信することをさらに備える、Ｃ４１に記載の方法。
［Ｃ４４］
前記送信することは、物理ハイブリッド自動反復要求インジケータ・チャネル（ＰＨＩＣＨ）で前記過負荷インジケーションを送信することを備える、Ｃ３９に記載の方法。
［Ｃ４５］
規定された信号対雑音比ペネトレーションを達成するために、複数の近隣ノードにわたって直交しているＰＨＩＣＨでＰＨＩＣＨリソースを送信することをさらに備える、Ｃ４４に記載の方法。
［Ｃ４６］
複数のＰＨＩＣＨにわたって前記過負荷インジケーションを配信することをさらに備える、Ｃ４４に記載の方法。
［Ｃ４７］
受信者による受信のために使用されている帯域幅の中央部分で、前記過負荷インジケーションを送信することをさらに備える、Ｃ４４に記載の方法。
［Ｃ４８］
前記過負荷インジケーションをセル識別子に応じたウォルシュ符号として送信することをさらに備える、Ｃ４４に記載の方法。
［Ｃ４９］
前記ＰＨＩＣＨは、複数の近隣ノードからの異なる時間スロットにおいて時分割多重化（ＴＤＭ）変調される、Ｃ４４に記載の方法。
［Ｃ５０］
前記ＰＨＩＣＨは、複数の近隣ノードからの異なる周波数リソースにおいて周波数分割多重化（ＦＤＭ）変調される、Ｃ４４に記載の方法。
［Ｃ５１］
前記ＰＨＩＣＨは、複数の近隣ノードからの異なるウォルシュ符号で符号分割多重化（ＣＤＭ）変調される、Ｃ４４に記載の方法。
［Ｃ５２］
過負荷インジケーションをブロードキャストするためのコンピュータ・プログラム製品であって、
アップリンクにおける干渉レベルが、しきい値を越えていることを判定することと、
前記過負荷インジケーションに基づいて近隣受信者が送信電力制御を実行するために、前記過負荷インジケーションのオーバ・ザ・エア・ブロードキャストを送信することと、
のためのコードを有するコンピュータ読取可能媒体を備える、コンピュータ・プログラム製品。
［Ｃ５３］
前記干渉レベルは、干渉オーバ・サーマル（ＩｏＴ）雑音を備える、Ｃ５２に記載のコンピュータ・プログラム製品。
［Ｃ５４］
前記コンピュータ読取可能媒体はさらに、物理ブロードキャスト・チャネル（ＰＢＣＨ）で前記過負荷インジケーションを送信するためのコードを有する、Ｃ５２に記載のコンピュータ・プログラム製品。
［Ｃ５５］
前記コンピュータ読取可能媒体はさらに、物理ハイブリッド自動反復要求インジケータ・チャネル（ＰＨＩＣＨ）で、前記過負荷インジケーションを送信するためのコードを有する、Ｃ５２に記載のコンピュータ・プログラム製品。
［Ｃ５６］
過負荷インジケーションをブロードキャストする装置であって、
アップリンク上の干渉レベルが、しきい値を越えていると判定し、
前記過負荷インジケーションに基づいて近隣受信者が送信電力制御を実行するために、前記過負荷インジケーションのオーバ・ザ・エア・ブロードキャストを送信する、
ように構成された少なくとも１つのプロセッサを備える、装置。
［Ｃ５７］
前記干渉レベルは、干渉オーバ・サーマル（ＩｏＴ）雑音を備える、Ｃ５６に記載の装置。
［Ｃ５８］
前記少なくとも１つのプロセッサは、送信機に対して、物理ブロードキャスト・チャネル（ＰＢＣＨ）で前記過負荷インジケーションを送信するように指示する、Ｃ５６に記載の装置。
［Ｃ５９］
前記少なくとも１つのプロセッサは、送信機に対して、物理ハイブリッド自動反復要求インジケータ・チャネル（ＰＨＩＣＨ）で前記過負荷インジケーションを送信するように指示する、Ｃ５６に記載の装置。
［Ｃ６０］
過負荷インジケーションをブロードキャストする装置であって、
アップリンクにおける干渉レベルが、しきい値を越えていることを判定する手段と、
前記過負荷インジケーションに基づいて近隣受信者が送信電力制御を実行するために、前記過負荷インジケーションのオーバ・ザ・エア・ブロードキャストを送信する手段と、
を備える装置。
［Ｃ６１］
前記干渉レベルは、干渉オーバ・サーマル（ＩｏＴ）雑音を備える、Ｃ６０に記載の装置。
［Ｃ６２］
物理ブロードキャスト・チャネル（ＰＢＣＨ）で前記過負荷インジケーションを送信する手段をさらに備える、Ｃ６０に記載の装置。
［Ｃ６３］
物理ハイブリッド自動反復要求インジケータ・チャネル（ＰＨＩＣＨ）で前記過負荷インジケーションを送信する手段をさらに備える、Ｃ６０に記載の装置。
【外国語明細書】
2014030208000001.pdf